(57)【特許請求の範囲】
【請求項１】
室外空間から取り込んだ室外空気を室内空間へ供給する給気通路と、
室内空間から取り出した室内空気を室外空間へ排気する排気通路と、
通過する空気の水分を吸着又は通過する空気に水分を脱着する調湿部、及び、通過する冷却用空気にて前記調湿部の水分の吸着に伴う吸着熱を吸収する冷却部を夫々有する一対の調湿素子と、
一対の前記調湿素子のうちの何れか一方を、前記給気通路を通流する室外空気が調湿用空気として前記調湿部を通過する給気側素子とし、他方の前記調湿素子を、回復用空気が前記調湿部を通過する回復側素子とする状態で、一対の前記調湿素子の夫々を、前記給気側素子と前記回復側素子とに切り換える切換処理を切換機構により実施する制御部と、
前記回復側素子の前記調湿部を通過する前記回復用空気を加熱可能な回復用加熱部とを備え、
前記給気側素子の前記調湿部に前記調湿用空気を通過させて当該調湿用空気に含まれる水分を吸着させ、前記給気側素子の前記冷却部に前記冷却用空気を通過させて前記吸着熱を吸収させ、前記回復側素子の前記調湿部に前記回復用加熱部により加熱した前記回復用空気を通過させて当該回復用空気に水分を脱着させる除湿運転が行われる空調システムであって、
前記給気側素子の前記調湿部を通過した前記調湿用空気の温度を検出する温度検出部及び前記給気側素子の前記調湿部を通過した前記調湿用空気の湿度を検出する湿度検出部の少なくとも一方を備え、
前記給気側素子の前記調湿部を通過する前記調湿用空気を加熱可能な給気用加熱部を備え、
前記除湿運転と、前記給気側素子の前記調湿部に前記給気用加熱部により加熱した前記調湿用空気を通過させて当該調湿用空気に水分を脱着させ、前記回復側素子の前記調湿部に前記回復用空気を通過させて水分を吸着させる加湿運転との何れか一方の運転が行われるように構成され、
前記制御部は、前記除湿運転において、前記温度検出部及び前記湿度検出部の少なくとも一方の検出結果に基づいて前記切換機構により前記切換処理を実施するように構成され、
前記制御部は、前記加湿運転において、前記温度検出部及び前記湿度検出部の少なくとも一方の検出結果に基づいて前記切換機構により前記切換処理を実施するように構成されている空調システム。
【請求項２】
前記湿度検出部を備え、
前記制御部は、前記除湿運転において、前記湿度検出部が検出した湿度が除湿用設定湿度以上となる場合に、前記切換機構により前記切換処理を実施するように構成されている請求項１に記載の空調システム。
【請求項３】
前記温度検出部を備え、
前記制御部は、前記除湿運転において、前記温度検出部が検出した温度が除湿用設定温度以上となる場合に、前記切換機構により前記切換処理を実施するように構成されている請求項１に記載の空調システム。
【請求項４】
前記温度検出部と前記湿度検出部とを備え、
前記制御部は、前記除湿運転において、前記湿度検出部が検出した湿度が除湿用設定湿度以上となる場合、又は、前記温度検出部が検出した温度が除湿用設定温度以上となる場合に、前記切換機構により前記切換処理を実施するように構成されている請求項１に記載の空調システム。
【請求項５】
前記除湿運転における前記冷却用空気が室内空間から室外空間へ排出する室内空気であり、前記除湿運転における前記回復用空気が、室外空間から取り込んで室外空間へ排出する室外空気である請求項１から４の何れか１項に記載の空調システム。
【請求項６】
前記除湿運転における前記冷却用空気が室外空間から取り込んで室外空間へ排出する室外空気であり、前記除湿運転における前記回復用空気が、室内空間から室外空間へ排出する室内空気である請求項１から４の何れか１項に記載の空調システム。
【請求項７】
前記湿度検出部を備え、
前記制御部は、前記加湿運転において、前記湿度検出部が検出した湿度が加湿用設定湿度以下となる場合に、前記切換機構により前記切換処理を実施するように構成されている請求項１から６の何れか１項に記載の空調システム。
【請求項８】
前記温度検出部を備え、
前記制御部は、前記加湿運転において、前記温度検出部が検出した温度が加湿用設定温度以上となる場合に、前記切換機構により前記切換処理を実施するように構成されている請求項１から６の何れか１項に記載の空調システム。
【請求項９】
前記温度検出部と前記湿度検出部とを備え、
前記制御部は、前記加湿運転において、前記湿度検出部が検出した湿度が加湿用設定湿度以下となる場合、又は、前記温度検出部が検出した温度が加湿用設定温度以上となる場合に、前記切換機構により前記切換処理を実施するように構成されている請求項１から６の何れか１項に記載の空調システム。
【請求項１０】
前記加湿運転における前記回復用空気が、室内空間から室外空間へ排出する室内空気である請求項１から９の何れか１項に記載の空調システム。
【請求項１１】
一対の前記調湿素子の夫々は、複数の平板部材が、当該平板部材同士の間の夫々に前記冷却部又は前記調湿部を形成する状態で積層され、前記平板部材の積層方向において、前記冷却部と前記調湿部とが交互に配設されて形成され、前記給気側素子において、前記冷却部における前記冷却用空気の流れ方向と、前記調湿部における前記調湿用空気の流れ方向とが、互いに向かい合う方向である請求項１から１０の何れか１項に記載の空調システム。
【発明の詳細な説明】
【技術分野】
【０００１】
本発明は、水分を吸着又は脱着する調湿素子を用いて、室内空間へ供給する空気の除湿を行う空調システムに関する。
【背景技術】
【０００２】
かかる空調システムの従来例として、一対の調湿素子を用い、一方の調湿素子である給気側素子の調湿部で室内に供給する空気の水分を吸着（即ち、除湿）し、それと並行して、他方の調湿素子である回復側素子の調湿部を回復させておくものがある。つまり、給気側素子の調湿部で空気の除湿を行っている間に回復側素子の調湿部から水分を脱着（回復）させておく除湿運転が行われるものがある。その結果、一対の調湿素子を、給気側素子と回復側素子とに交互に切り換えることで、その切換直前に回復された調湿素子（即ち、回復側素子から給気側素子へと切り換えられた調湿素子）を用いて除湿を良好に行うことができる（例えば、特許文献１参照）。
【０００３】
また、特許文献１の空調システムでは、調湿素子が調湿部に加えて冷却部を有し、その冷却部に冷却用空気を通過させることで、調湿部での水分の吸着に伴い発生する吸着熱を吸収できるような構成になっている。
【先行技術文献】
【特許文献】
【０００４】
【特許文献１】特開２００３−１４８７６８号公報
【発明の概要】
【発明が解決しようとする課題】
【０００５】
上記特許文献１に詳細な記載はないが、従来の空調システムでは、予め設定された所定時間毎に、一対の調湿素子を給気側素子と回復側素子とに交互に切り換える切換処理が実施されている。
【０００６】
例えば除湿運転を行っているとき、予め設定された所定時間毎に、一対の調湿素子を給気側素子と回復側素子とに交互に切り換える切換処理を実施すると、給気側素子の調湿部が水分を更に吸着できる状態であるにもかかわらず、切換処理が実施されてしまうことが起こり得る。この場合、切換機構を作動させる回数が必要以上に多くなり、切換機構の動作により発生する動作音が増加することや、切換機構を作動させるための動力源等において消費される電力が増加するという問題が発生する。逆に、同じく除湿運転の場合、給気側素子の調湿部が水分を既に吸着できない状態であるにもかかわらず、切換処理が実施されないことも起こり得る。この場合、除湿が充分に行われていない空気が供給されるという問題が発生する。
【０００７】
本発明は、上述の課題に鑑みてなされたものであり、その目的は、室内に供給する室外空気の除湿を適切に行いつつ、切換処理を適切なタイミングで実施できる空調システムを提供することにある。
【課題を解決するための手段】
【０００８】
上記目的を達成するための本発明に係る空調システムの特徴構成は、
室外空間から取り込んだ室外空気を室内空間へ供給する給気通路と、
室内空間から取り出した室内空気を室外空間へ排気する排気通路と、
通過する空気の水分を吸着又は通過する空気に水分を脱着する調湿部、及び、通過する冷却用空気にて前記調湿部の水分の吸着に伴う吸着熱を吸収する冷却部を夫々有する一対の調湿素子と、
一対の前記調湿素子のうちの何れか一方を、前記給気通路を通流する室外空気が調湿用空気として前記調湿部を通過する給気側素子とし、他方の前記調湿素子を、回復用空気が前記調湿部を通過する回復側素子とする状態で、一対の前記調湿素子の夫々を、前記給気側素子と前記回復側素子とに切り換える切換処理を切換機構により実施する制御部と、
前記回復側素子の前記調湿部を通過する前記回復用空気を加熱可能な回復用加熱部とを備え、
前記給気側素子の前記調湿部に前記調湿用空気を通過させて当該調湿用空気に含まれる水分を吸着させ、前記給気側素子の前記冷却部に前記冷却用空気を通過させて前記吸着熱を吸収させ、前記回復側素子の前記調湿部に前記回復用加熱部により加熱した前記回復用空気を通過させて当該回復用空気に水分を脱着させる除湿運転が行われる空調システムであって、
前記給気側素子の前記調湿部を通過した前記調湿用空気の温度を検出する温度検出部及び前記給気側素子の前記調湿部を通過した前記調湿用空気の湿度を検出する湿度検出部の少なくとも一方を備え、
前記給気側素子の前記調湿部を通過する前記調湿用空気を加熱可能な給気用加熱部を備え、
前記除湿運転と、前記給気側素子の前記調湿部に前記給気用加熱部により加熱した前記調湿用空気を通過させて当該調湿用空気に水分を脱着させ、前記回復側素子の前記調湿部に前記回復用空気を通過させて水分を吸着させる加湿運転との何れか一方の運転が行われるように構成され、
前記制御部は、前記除湿運転において、前記温度検出部及び前記湿度検出部の少なくとも一方の検出結果に基づいて前記切換機構により前記切換処理を実施するように構成され、
前記制御部は、前記加湿運転において、前記温度検出部及び前記湿度検出部の少なくとも一方の検出結果に基づいて前記切換機構により前記切換処理を実施するように構成されている点にある。 
【０００９】
上記特徴構成によれば、制御部は、除湿運転において、給気側素子の調湿部を通過した調湿用空気の温度を検出する温度検出部、及び、給気側素子の調湿部を通過した調湿用空気の湿度を検出する湿度検出部の少なくとも一方の検出結果に基づいて切換機構により上記切換処理を実施する。
【００１０】
すなわち、除湿運転を行っているとき、給気側素子の調湿部は水分を吸着する役割（即ち、下流側へは湿度の低い空気を送り出す役割）を担っているため、給気側素子の調湿部を通過した後の調湿用空気の湿度が高い場合には、給気側素子の調湿部が既に多くの水分を吸着して、新たに調湿用空気から水分を吸着することが困難な状態となっていることが分かる。言い換えると、調湿部を通過した調湿用空気の湿度に基づいて、その給気側素子を除湿のために使用することを終了すべきタイミングであることが分かる。
これに対して、給気側素子の調湿部を通過した後の調湿用空気の湿度が低い場合には、給気側素子の調湿部に吸着された水分量が少なく、調湿部が更に多量の水分を吸着できる状態にあることが分かる。言い換えると、調湿部を通過した調湿用空気の湿度に基づいて、その給気側素子を除湿のために使用することを継続できることが分かる。
よって、湿度検出部の検出結果に基づいて、室内に供給する室外空気の除湿を適切に行いつつ、切換処理を行うタイミングを判定できる。
また、除湿運転を行っているとき、給気側素子の調湿部を通過する調湿用空気に含まれる水蒸気がその調湿部に吸着されると、吸着される水蒸気の潜熱と同程度の熱量の吸着熱が調湿部において発生する。そのため、更に多くの水分を吸着できる状態にある調湿部で多くの水分が吸着されると、調湿部で発生する吸着熱が大きくなり、調湿部を通過した調湿用空気の温度に、その大きな吸着熱の発生の影響が現れることになる。言い換えると、調湿部を通過した調湿用空気の温度に基づいて大きな吸着熱が発生している状態を検出することで、その給気側素子を除湿のために使用することを継続できることが分かる。
これに対して、既に多くの水分を吸着して、新たに水分を吸着することが困難な状態となっている調湿部で、少しの水分しか吸着されないと、小さな吸着熱しか発生しない。そのため、調湿部を通過した調湿用空気の温度に、その小さな吸着熱の発生の影響が現れることになる。言い換えると、調湿部を通過した調湿用空気の温度に基づいて小さな吸着熱しか発生していない状態を検出することで、その給気側素子を除湿のために使用することを終了すべきタイミングであることが分かる。
よって、温度検出部の検出結果に基づいて、室内に供給する室外空気の除湿を適切に行いつつ、切換処理を行うタイミングを判定できる。
【００１１】
加えて、除湿運転を行っているとき、回復側素子の調湿部に回復用加熱部により加熱した回復用空気を通過させてその回復用空気に水分を脱着させている。つまり、給気側素子の調湿部で空気の除湿を行っている間に回復側素子の調湿部から水分を脱着（回復）させておくことで、切換処理が行われたとき、その切換直前に回復された調湿素子（即ち、回復側素子から給気側素子へと切り換えられた調湿素子）を用いて除湿を良好に継続して行うことができる。
【００１２】
従って、除湿運転において、温度検出部及び湿度検出部の少なくとも一方の検出結果に基づいて切換処理を実施することにより、室内に供給する室外空気の除湿を適切に行いつつ、切換処理を適切なタイミングで実施できる空調システムを提供できる。
【００１３】
また、加湿運転を行っているとき、回復側素子の調湿部に回復用空気を通過させて水分を吸着させておくこと、つまり、給気側素子の調湿部で空気の加湿を行っている間に回復側素子の調湿部に水分を吸着（回復）させておくことで、切換処理が行われたとき、その切換直前に回復された調湿素子（即ち、回復側素子から給気側素子へと切り換えられた調湿素子）を用いて加湿を良好に継続して行うことができる。
また、加湿運転を行っているとき、給気側素子の調湿部は水分を脱着する役割（即ち、下流側へは湿度の高い空気を送り出す役割）を担っているため、給気側素子の調湿部を通過した後の調湿用空気の湿度が低い場合には、給気側素子の調湿部が既に多くの水分を脱着して、新たに調湿用空気に水分を脱着することが困難な状態になっていることが分かる。言い換えると、調湿部を通過した調湿用空気の湿度に基づいて、その給気側素子を加湿のために使用することを終了するタイミングであることが分かる。
これに対して、給気側素子の調湿部を通過した後の調湿用空気の湿度が高い場合には、給気側素子の調湿部から脱着した水分量が少なく、調湿部が更に多量の水分を脱着できる状態にあることが分かる。言い換えると、調湿部を通過した調湿用空気の湿度に基づいて、その給気側素子を加湿のために使用することを継続できることが分かる。
よって、湿度検出部の検出結果に基づいて、室内に供給する室外空気の加湿を適切に行いつつ、切換処理を行うタイミングを判定できる。
さらに、加湿運転を行っているとき、給気側素子の調湿部から調湿用空気に水分を脱着する際、調湿部中の水分が水蒸気となって調湿用空気中に与えられることとなるので、その脱着した水蒸気の潜熱が調湿部から奪われて、その熱が調湿用空気に与えられる。そのため、残留する水分が少なくなって、新たに水分を調湿用空気へ脱着させることが困難な状態にある調湿部で少しの水分しか脱着されなくなると、調湿部を通過した調湿用空気の温度に、その少しの水分の脱着に伴う熱の影響が現れることになる。言い換えると、調湿部を通過した調湿用空気の温度に基づいて、その給気側素子を加湿のために使用することを終了すべきタイミングであることが分かる。
これに対して、残留する水分が多く、更に多くの水分を調湿用空気へ脱着させることができる状態にある調湿部で、多くの水分が脱着されると、調湿部を通過した調湿用空気の温度に、その多くの水分の脱着に伴う熱の影響が現れることになる。言い換えると、調湿部を通過した調湿用空気の温度に基づいて、その給気側素子を加湿のために使用することを継続できることが分かる。
よって、温度検出部及び湿度検出部の少なくとも一方の検出結果に基づいて、室内に供給する室外空気の加湿を適切に行いつつ、切換処理を行うタイミングを判定できる。
【００１４】
本発明に係る空調システムの更なる特徴構成は、前記湿度検出部を備え、前記制御部は、前記除湿運転において、前記湿度検出部が検出した湿度が除湿用設定湿度以上となる場合に、前記切換機構により前記切換処理を実施するように構成されている点にある。
【００１５】
上記特徴構成によれば、制御部は、湿度検出部が検出した湿度が所定の除湿用設定湿度以上となる場合に切換処理を実施する。例えば、上記除湿用設定湿度を、給気側素子の調湿部が多くの水分を吸着して、新たに水分を吸着することが困難な状態になっているときに湿度検出部において検出されるような調湿用空気の湿度に設定することにより、給気側素子の調湿部に充分な水分が吸着された適切なタイミングで切換処理が実施されることになる。加えて、除湿運転において、室内に供給する調湿用空気の湿度が除湿用設定湿度よりも高くなることを防止できる。
【００１６】
本発明に係る空調システムの更なる特徴構成は、前記温度検出部を備え、前記制御部は、前記除湿運転において、前記温度検出部が検出した温度が除湿用設定温度以上となる場合に、前記切換機構により前記切換処理を実施するように構成されている点にある。
【００１７】
上記特徴構成によれば、制御部は、温度検出部が検出した温度が除湿用設定温度以上となる場合に切換処理を実施する。例えば、上記除湿用設定温度を、給気側素子の調湿部が多くの水分を吸着して、新たに水分を吸着することが困難な状態となっている調湿部で、少しの水分しか吸着されなくなったときに温度検出部で検出されるような調湿用空気の温度に設定することにより、給気側素子の調湿部に充分な水分が吸着された適切なタイミングで切換処理が実施されることになる。
【００１８】
本発明に係る空調システムの更なる特徴構成は、前記温度検出部と前記湿度検出部とを備え、前記制御部は、前記除湿運転において、前記湿度検出部が検出した湿度が除湿用設定湿度以上となる場合、又は、前記温度検出部が検出した温度が除湿用設定温度以上となる場合に、前記切換機構により前記切換処理を実施するように構成されている点にある。
【００１９】
上記特徴構成によれば、制御部は、湿度検出部が検出した調湿用空気の湿度が除湿用設定湿度以上となった場合、又は、温度検出部が検出した調湿用空気の温度が除湿用設定温度以上となった場合に切換処理を実施する。
例えば、上記除湿用設定湿度を、給気側素子の調湿部が多くの水分を吸着して、新たに水分を吸着することが困難な状態になっているときに湿度検出部において検出されるような調湿用空気の湿度に設定することにより、給気側素子の調湿部に充分な水分が吸着された適切なタイミングで切換処理が実施されることになる。加えて、除湿運転において、室内に供給する調湿用空気の湿度が除湿用設定湿度よりも高くなることを防止できる。
同じく、例えば、上記除湿用設定温度を、既に多くの水分を吸着して、新たに水分を吸着することが困難な状態となっている調湿部で、少しの水分しか吸着されないときに温度検出部において検出されるような調湿用空気の温度に設定することにより、給気側素子の調湿部に充分な水分が吸着された適切なタイミングで切換処理が実施されることになる。
このように、本特徴構成では、温度と湿度の両方に基づいて、切換処理を適切なタイミングで実施できる。
【００２０】
本発明に係る空調システムの更なる特徴構成は、前記除湿運転における前記冷却用空気が室内空間から室外空間へ排出する室内空気であり、前記除湿運転における前記回復用空気が、室外空間から取り込んで室外空間へ排出する室外空気である点にある。
【００２１】
上記特徴構成によれば、除湿運転における冷却用空気が室内空間から室外空間へ排出する室内空気とされるので、室外空間へ排気する室内空気を冷却用空気として有効に使用しつつ、調湿用空気の除湿を良好に行うことができる。つまり、除湿運転が実施されるときは室外の湿度及び温度が高いときであるので、通常、室内空気の温度は空調等により外気温度よりも低い温度に保たれている。よって、低温の室内空気を冷却用空気として給気側素子の冷却部を通過させることにより、給気側素子の調湿部が良好に冷却される。これにより、給気側素子の調湿部において効率よく水分が吸着されるので、低温の室内空気を冷却用空気として有効に利用しつつ、給気側素子において調湿用空気の除湿を良好に行うことができる。
【００２２】
また、上記特徴構成によれば、除湿運転における回復用空気が室外空間から取り込んで室外空間へ排出する室外空気とされるので、室外空気を回復用空気として有効に使用して、回復側素子の回復を良好に行うことができる。すなわち、例えば、室内空気を回復用空気とする場合には、室内が負圧とならないように回復用空気の流量が制限されることとなる虞があるが、本特徴構成によれば、除湿運転における回復用空気を、室外空間から取り込んだ室外空気とするので、除湿運転における回復側素子から水分を脱着するために使用する回復用空気の流量が制限されることなく、回復側素子から効率よく水分を脱着できる。
【００２３】
本発明に係る空調システムの更なる特徴構成は、前記除湿運転における前記冷却用空気が室外空間から取り込んで室外空間へ排出する室外空気であり、前記除湿運転における前記回復用空気が、室内空間から室外空間へ排出する室内空気である点にある。
【００２４】
上記特徴構成によれば、除湿運転における冷却用空気が室外空間から取り込んで室外空間へ排出する室外空気とされるので、室外空気を冷却用空気として有効に使用して、回復側素子の回復を良好に行うことができる。すなわち、室内空気を冷却用空気とする場合には、室内が負圧とならないように回復用空気の流量が制限されることとなる虞があるが、本特徴構成によれば、除湿運転における冷却用空気を、室外空間から取り込んだ室外空気とするので、除湿運転における給気側素子の冷却に使用する冷却用空気の流量が制限されることなく、調湿素子を良好に冷却できる。
【００２５】
また、上記特徴構成によれば、除湿運転における回復用空気が室内空間から室外空間へ排出する室内空気とされるので、室外空間へ排気する室内空気を回復用空気として有効に使用して、回復側素子の回復を良好に行うことができる。つまり、除湿運転が実施されることにより室内空気の湿度が低くなっているので、その室内空気を回復用空気として回復側素子の調湿部を通過させることにより、湿度の低い回復用空気中に回復側素子の調湿部に吸着された水分を脱着させることができる。これにより、除湿された室内空気を回復用空気として有効に利用して、回復側素子から効率よく水分を脱着できる。
【００３０】
本発明に係る空調システムの更なる特徴構成は、前記湿度検出部を備え、前記制御部は、前記加湿運転において、前記湿度検出部が検出した湿度が加湿用設定湿度以下となる場合に、前記切換機構により前記切換処理を実施するように構成されている点にある。
【００３１】
上記特徴構成によれば、制御部は、湿度検出部が検出した湿度が加湿用設定湿度以下となる場合に切換処理を実施する。例えば、上記加湿用設定湿度を、給気側素子の調湿部に残留する水分が不足して、新たに水分を適切に調湿部から調湿用空気に脱着することが困難な状態となったときに湿度検出部において検出されるような調湿用空気の湿度に設定することにより、給気側素子の調湿部から水分が充分に脱着された適切なタイミングで切換処理が実施されることになる。加えて、加湿運転において、室内に供給する調湿用空気の湿度が加湿用設定湿度よりも低くなることを防止することができる。
【００３２】
本発明に係る空調システムの更なる特徴構成は、前記温度検出部を備え、前記制御部は、前記加湿運転において、前記温度検出部が検出した温度が加湿用設定温度以上となる場合に、前記切換機構により前記切換処理を実施するように構成されている点にある。
【００３３】
上記特徴構成によれば、制御部は、温度検出部が検出した温度が加湿用設定温度以上となる場合に切換処理を実施する。例えば、上記加湿用設定温度を、給気側素子の調湿部に残留する水分が不足して、新たに水分を適切に調湿部から調湿用空気に脱着することが困難な状態となっている調湿部で、脱着する水分量が減少したときに温度検出部において検出されるような調湿用空気の温度に設定することにより、給気側素子の調湿部から水分が充分に脱着された適切なタイミングで切換処理が実施されることになる。
【００３４】
本発明に係る空調システムの更なる特徴構成は、前記温度検出部と前記湿度検出部とを備え、前記制御部は、前記加湿運転において、前記湿度検出部が検出した湿度が加湿用設定湿度以下となる場合、又は、前記温度検出部が検出した温度が加湿用設定温度以上となる場合に、前記切換機構により前記切換処理を実施するように構成されている点にある。
【００３５】
上記特徴構成によれば、上記加湿用設定湿度を、給気側素子の調湿部に残留する水分が不足して、新たに水分を適切に調湿部から調湿用空気に脱着することが困難な状態となったときに湿度検出部において検出されるような調湿用空気の湿度に設定することにより、給気側素子の調湿部から水分が充分に脱着された適切なタイミングで切換処理が実施されることになる。加えて、加湿運転において、室内に供給する調湿用空気の湿度が加湿用設定湿度よりも低くなることを防止することができる。
同じく、例えば、上記加湿用設定温度を、給気側素子の調湿部に残留する水分が不足して、新たに水分を適切に調湿部から調湿用空気に脱着することが困難な状態となっている調湿部で、脱着する水分量が減少したときに温度検出部において検出されるような調湿用空気の温度に設定することにより、給気側素子の調湿部から水分が充分に脱着された適切なタイミングで切換処理が実施されることになる。
このように、本特徴構成では、温度と湿度の両方に基づいて、切換処理を適切なタイミングで実施できる。
【００３６】
本発明に係る空調システムの更なる特徴構成は、前記加湿運転における前記回復用空気が、室内空間から室外空間へ排出する室内空気である点にある。
【００３７】
上記特徴構成によれば、加湿運転における回復用空気が室内空間から室外空間へ排出する室内空気とされるので、室外空間へ排気する室内空気を回復用空気として有効に使用して、回復側素子の回復を良好に行うことができる。つまり、加湿運転が実施されることにより室内空気は加湿されているので、加湿された室内空気を回復用空気として回復側素子の調湿部を通過させることにより、加湿された室内空気の水分を回復側素子の調湿部に吸着させることができる。これにより、回復側素子の調湿部に効率よく水分が吸着されるので、加湿された室内空気を回復用空気として有効に利用して、回復側素子に水分を充分に吸着できる。
【００３８】
本発明に係る空調システムの更なる特徴構成は、一対の前記調湿素子の夫々は、複数の平板部材が、当該平板部材同士の間の夫々に前記冷却部又は前記調湿部を形成する状態で積層され、前記平板部材の積層方向において、前記冷却部と前記調湿部とが交互に配設されて形成され、前記給気側素子において、前記冷却部における前記冷却用空気の流れ方向と、前記調湿部における前記調湿用空気の流れ方向とが、互いに向かい合う方向である点にある。
【００３９】
上記特徴構成によれば、除湿運転時の給気側素子において、冷却用空気と調湿用空気との流れ方向を対向流として、冷却用空気が通過する冷却部と調湿用空気が通過する調湿部との間で平板部材を介して熱交換させることができるので、調湿用空気の水分の吸着により発生する吸着熱による調湿部の温度上昇を抑制できる。
【図面の簡単な説明】
【００４０】
【図１】第１実施形態に係る空調システムの第１除湿空調状態を示す図
【図２】第１実施形態に係る空調システムの第２除湿空調状態を示す図
【図３】第１実施形態に係る空調システムの第１加湿空調状態を示す図
【図４】第１実施形態に係る空調システムの第２加湿空調状態を示す図
【図５】調湿素子の斜視図
【図６】調湿素子の分解斜視図
【図７】調湿素子の拡大断面図
【図８】除湿運転時における切換処理の実施時期を示す図
【図９】加湿運転時における切換処理の実施時期を示す図
【図１０】第２実施形態に係る空調システムの第１除湿空調状態を示す図
【図１１】第２実施形態に係る空調システムの第２除湿空調状態を示す図
【図１２】第２実施形態に係る空調システムの第１加湿空調状態を示す図
【図１３】第２実施形態に係る空調システムの第２加湿空調状態を示す図
【発明を実施するための形態】
【００４１】
〔第１実施形態〕
本発明の第１実施形態に係る空調システム１００を、図面に基づいて説明する。
図１〜図４に示すように、当該空調システム１００は、主要な機器構成として、一対の調湿素子Ｅ（Ｅ１、Ｅ２）と、当該一対の調湿素子Ｅを、給気側素子Ｅａと回復側素子Ｅｂとに交互に切り換える切換機構ＶとしてのダンパＶ１〜Ｖ１２と、通過する空気を加熱する加熱部２１とを備えるものである。詳しくは後述するが、図１及び図２には、室内に供給する室外空気ＯＡを給気側素子Ｅａにする状態が示され、図３及び図４には、室内に供給する室外空気ＯＡを給気側素子Ｅａにより加湿する状態が示されている。
【００４２】
一対の調湿素子Ｅの夫々は、通過する空気の水分を吸着又は通過する空気に水分を脱着する調湿部Ｗ、及び、通過する冷却用空気ＣＡにて調湿部Ｗの水分の吸着に伴う吸着熱を吸収する冷却部Ｃを有する（図５、図６参照）。
【００４３】
空調システム１００には、一対の調湿素子Ｅ（Ｅ１、Ｅ２）のうちの何れか一方を、給気通路Ｌ１ａ、Ｌ１ｂを通流する室外空気ＯＡが調湿用空気ＷＡとして調湿部Ｗを通過する給気側素子Ｅａとし、他方の調湿素子Ｅを、回復用空気Ｒが調湿部Ｗを通過する回復側素子Ｅｂとする状態で、一対の調湿素子Ｅ（Ｅ１、Ｅ２）の夫々を、給気側素子Ｅａと回復側素子Ｅｂとに切り換える切換処理を切換機構Ｖにより実施する制御部Ｓが設けられている。
【００４４】
また、空調システム１００は、給気側素子Ｅａの調湿部Ｗに調湿用空気ＷＡを通過させて調湿用空気ＷＡに含まれる水分を吸着させ、給気側素子Ｅａの冷却部Ｃに冷却用空気ＣＡを通過させて調湿部Ｗにて発生する吸着熱を吸収させ、回復側素子Ｅｂの調湿部Ｗに加熱部２１（回復用加熱部）により加熱した回復用空気Ｒを通過させて回復用空気Ｒに水分を脱着させる除湿運転（図１、図２参照）と、給気側素子Ｅａの調湿部Ｗに加熱部２１（給気用加熱部）により加熱した調湿用空気ＷＡを通過させて調湿用空気ＷＡに水分を脱着させ、回復側素子Ｅｂの調湿部Ｗに回復用空気Ｒを通過させて水分を吸着させる加湿運転（図３、図４参照）との何れか一方の運転が行われるように構成されている。
なお、本実施形態においては、給気側素子Ｅａの調湿部Ｗを通過する調湿用空気ＷＡを加熱する給気用加熱部と、回復側素子Ｅｂの調湿部Ｗを通過する回復用空気Ｒを加熱する回復用加熱部とが、加熱部２１によって構成されている。
【００４５】
除湿運転が行われる場合には、第１調湿素子Ｅ１を、室内空間に供給する室外空気ＯＡを除湿する給気側素子Ｅａとし、第２調湿素子Ｅ２を、調湿部Ｗに吸着された水分を脱着する回復側素子Ｅｂとするように切り換えられた第１除湿空調状態（図１）と、第１調湿素子Ｅ１を、調湿部Ｗに吸着された水分を脱着する回復側素子Ｅｂとし、第２調湿素子Ｅ２を、室内空間に供給する室外空気ＯＡを除湿する給気側素子Ｅａとするように切り換えられた第２除湿空調状態（図２）とに切り換えられる。
【００４６】
この第１除湿空調状態及び第２除湿空調状態においては、調湿素子Ｅが、給気側素子Ｅａに切り換えられた場合には、調湿部Ｗに室内空間に供給する室外空気ＯＡとしての調湿用空気ＷＡを通過させて調湿用空気ＷＡに含まれる水分を吸着しつつ、冷却部Ｃに冷却用空気ＣＡを通過させて調湿部Ｗにおいて調湿用空気ＷＡの水分の吸着に伴って発生する吸着熱を吸収する状態で、給気側素子Ｅａの調湿部Ｗを通過して水分が除去された調湿用空気ＷＡを室内空間に供給するように構成されている。一方、回復側素子Ｅｂに切り換えられた場合には、回復用空気Ｒを調湿部Ｗに通過させて、調湿部Ｗから回復用空気Ｒ中に水分を脱着して、その回復用空気Ｒを室外空間に排出するように構成されている。
【００４７】
また、加湿運転が行われる場合には、第１調湿素子Ｅ１を、室内空間に供給する室外空気ＯＡを加湿する給気側素子Ｅａとし、第２調湿素子Ｅ２を、水分を吸着する回復側素子Ｅｂとするように切り換えられた第１加湿空調状態（図３）と、第１調湿素子Ｅ１を、水分を吸着する回復側素子Ｅｂとし、第２調湿素子Ｅ２を、室内空間に供給する室外空気ＯＡを加湿する給気側素子Ｅａとするように切り換えられた第２加湿空調状態（図４）とに切り換えられる。
【００４８】
この第１加湿空調状態及び第２加湿空調状態においては、調湿素子Ｅが、給気側素子Ｅａに切り換えられた場合には、調湿用空気ＷＡを調湿部Ｗに通過させて、調湿部Ｗから脱着する水分により加湿された調湿用空気ＷＡが室内空間に供給するように構成されている。一方、回復側素子Ｅｂに切り換えられた場合には、回復用空気Ｒを調湿部Ｗに通過させて、調湿部Ｗから回復用空気Ｒ中に水分を脱着して、その回復用空気Ｒを室外空間に排出するように構成されている。
【００４９】
図５に調湿素子Ｅの斜視図を示し、図６に調湿素子Ｅの分解斜視図を示す。
図５及び図６に示すように、一対の調湿素子Ｅの夫々は、略六角形状に形成された複数の平板部材１が、当該平板部材１同士の間の夫々に冷却部Ｃ又は調湿部Ｗを形成する状態で積層され、平板部材１の積層方向において、冷却部Ｃと調湿部Ｗとが交互に配設されて構成されている。複数の平板部材１の外周縁部には、平板部材１の外周縁部同士を接続する側壁板２が設けられている。なお、本実施形態では、６枚の平板部材１によって、３層の冷却部Ｃと２層の調湿部Ｗが形成された場合について説明するが、実用レベルでは、１００枚以上の平板部材１を積層して、５０層以上の冷却部Ｃと調湿部Ｗとを夫々形成することが想定される。
【００５０】
図５〜図７に基づいて、調湿素子Ｅについて具体的に説明する。図７は、調湿素子Ｅの拡大断面図である。
図５及び図６に示すように、調湿部Ｗには、調湿素子Ｅの上面視で、六角形状の平板部材１の長手方向の両端部に、流入口側の流入領域８と、流出口側の流出領域１０とが設けられ、流入領域８と流出領域１０との間に誘導部分９が設けられている。また、冷却部Ｃには、調湿素子Ｅの上面視で、六角形状の平板部材１の長手方向の両端部に、流入口側の流入領域１１と、流出口側の流出領域１３とが設けられ、流入領域１１と流出領域１３との間に誘導部分１２が設けられている。
【００５１】
調湿部Ｗの誘導部分９には、調湿用空気ＷＡを誘導する第１誘導部材３が設けられ、冷却部Ｃの誘導部分１２には、冷却用空気ＣＡを誘導する第２誘導部材４が設けられている。第１誘導部材３及び第２誘導部材４は、上面視で誘導部分９、１２と同等の寸法に形成された波板部材によって構成され、調湿部Ｗ及び冷却部Ｃの流入領域８、１１から流出領域１０、１３に向かう方向に直交する方向における断面視が波形状となるように誘導部分９、１２に配置されている。
【００５２】
また、調湿部Ｗの流入領域８側の側面部分に調湿部入口Ｗｉｎが設けられ、調湿部Ｗの流出領域１０側の側面部分に調湿部出口Ｗｏｕｔが設けられている。一方、冷却部Ｃの流入領域１１側の側面部分に空気が流入する冷却部入口Ｃｉｎが設けられ、冷却部Ｃの流出領域１３側の側面部分に空気が流出する冷却部出口Ｃｏｕｔが設けられている。
【００５３】
第１誘導部材３及び第２誘導部材４は、調湿部Ｗにおける調湿用空気ＷＡと冷却部Ｃにおける冷却用空気ＣＡとの流れ方向とが、互いに向かい合う方向となるように誘導部分９及び誘導部分１２に夫々配置されて、調湿用空気ＷＡと冷却用空気ＣＡとが平板部材１を介して対向流を成す状態で、調湿部Ｗと冷却部Ｃとの間で熱交換することができる。
また、図６に示すように、調湿部Ｗに設けられた第１誘導部材３は、第１波板部材５ａと後述する吸湿剤６とにより構成され、冷却部Ｃに設けられた第２誘導部材４は、第２波板部材５ｂと後述する吸湿剤６とにより構成されている。
【００５４】
平板部材１、側壁板２、第１波板部材５ａ及び第２波板部材５ｂは、例えば、ポリプロピレン（ＰＰ）、ポリエチレン（ＰＥ）、又は、ポリエチレンテレフタレート（ＰＥＴ）等の樹脂を材質として、５０ミクロン程度の厚さの薄板により構成されている。その他、平板部材１及び側壁板２については、例えば、紙（空気に含まれる水分が透過しない処理がなされたもの）、金属（例えばアルミニウム等）、ガラス、セラミックなどの材料を用いて作製することができる。また、第１波板部材５ａ及び第２波板部材５ｂについては、例えば、紙、金属（例えばアルミニウム等）、ガラス、セラミックなどの材料を用いて作製することができる。本実施形態では、平板部材１及び波板部材５及び側壁板２としてポリエチレンテレフタレートを用いる。
【００５５】
また、図７に示すように、平板部材１の調湿部Ｗに面する第１面１ａには、調湿部Ｗを通過する調湿用空気ＷＡに含まれる水分を吸脱着する吸湿剤６が保持されている。さらに、第１波板部材５ａの表面、つまり、第１波板部材５ａの上面側及び下面側にも吸湿剤６が保持されている。このように、平板部材１及び表面積の大きな波板部材５の両面に多くの吸湿剤６を保持させることができるので、調湿部Ｗにおける水分の吸着性能を高くすることができる。
【００５６】
吸湿剤６としては様々な種類のものを用いることができるが、例えば、ポリアクリル酸系の樹脂（架橋構造を有するポリアクリル酸ナトリウム等）を主成分とする材料を用いることができる。また、平板部材１と吸湿剤６とのバインダーとして、吸湿剤６を構成する材料と極性が近く、吸湿剤６の体積変化やヒートサイクルに耐えることのできる（即ち、バインダーとしての機能を維持できる）柔軟性を有する材料を用いることができる。例えば、吸湿剤６として上述のようなポリアクリル酸系の材料を用いる場合、バインダーとしては水性ウレタン樹脂、ポリ酢酸ビニル、エチレン−酢酸ビニル共重合体などの材料を利用できる。或いは、上述した材料を混合したものをバインダーとして利用することもできる。本実施形態では、吸湿剤６としてポリアクリル酸ナトリウムを用い、バインダーとして水性ウレタン樹脂を用いる。
【００５７】
尚、吸湿剤６を平板部材１及び波板部材５（第１波板部材５ａ）に対してバインダーを用いて保持させる場合、それら三者の接着性を良好にするためには、平板部材１及び波板部材５（第１波板部材５ａ）は、極性が上記バインダー又は吸湿剤６に近く、耐熱性を有する樹脂材料であることが好ましい。よって、本実施形態では、上述の如く、平板部材１及び波板部材５及び側壁板２としてポリエチレンテレフタレートを用いている。
そして、ポリアクリル酸ナトリウムと水性ウレタン樹脂等の材料で構成されたバインダーとを含む混合液を、第１面１ａ及び第１波板部材５ａの表面に塗布することにより、アクリル酸ナトリウムを第１面１ａ及び第１波板部材５ａの表面に保持させることができる。
【００５８】
一方、複数の平板部材１の冷却部Ｃに面する第２面１ｂには金属膜７が形成されている。金属膜７は、アルミニウム等の材質により、数ミクロン程度の厚さで構成され、蒸着により第１面１ａに形成されている。これにより、第１面１ａに形成された金属膜７の良好な熱伝導性により、冷却用空気ＣＡと平板部材１との間における伝熱面積が金属膜７により拡大するので、冷却用空気ＣＡと平板部材１との間の伝熱を促進することができる。これにより、冷却部Ｃと調湿部Ｗとの間における熱交換効率が向上する。ここで、本実施形態のように平板部材１が樹脂、紙（空気に含まれる水分が透過しない処理がなされたもの）、ガラス、セラミックで構成される場合には、上述の如く、その第１面１ａにアルミニウム等の金属膜７を形成することにより冷却部Ｃと調湿部Ｗとの間における熱交換効率を向上させることができる。また、平板部材１が金属（例えばアルミニウム等）で構成される場合には、その第１面１ａに、平板部材１を構成する金属よりも熱伝導性に優れた金属を材料として金属膜７を形成することにより冷却部Ｃと調湿部Ｗとの間における熱交換効率を向上させることができる。
【００５９】
次に、本実施形態に係る除湿運転における空調システム１００の通路構成について説明する。
図１に示した空調システム１００の状態は、一対の調湿素子Ｅのうちの第１調湿素子Ｅ１が室内空間に供給する室外空気ＯＡを除湿する給気側素子Ｅａに、第２調湿素子Ｅ２が室外空気ＯＡの除湿により吸着した水分を脱着する回復側素子Ｅｂに切り換えられた第１除湿空調状態である。
【００６０】
図１に基づいて、第１除湿用給気通路Ｌ１ａ、第１除湿用排気通路Ｌ２ａ及び第１室外空気循環通路Ｌ３ａについて説明する。図１では、第１除湿用給気通路Ｌ１ａを２点鎖線で示し、第１除湿用排気通路Ｌ２ａを１点鎖線で示し、第１室外空気循環通路Ｌ３ａを破線で示す。
【００６１】
第１除湿用給気通路Ｌ１ａ（給気通路の一例）は、第１調湿素子Ｅ１が給気側素子Ｅａに切り換えられているときに、室外空間から取り込んだ室外空気ＯＡを、第１調湿素子Ｅ１の調湿部Ｗを通過させて室内空間へ供給する通路である。
【００６２】
第１除湿用給気通路Ｌ１ａを通流する室外空気ＯＡとしての調湿用空気ＷＡは、上流側となる室外給気口３０から流入して、第１調湿素子Ｅ１の調湿部Ｗを通過して、下流側となる室内給気口３３から流出して室内空間に供給される。具体的には、室外給気口３０から流入した室外空気ＯＡが、上流側から下流側に向かって、第１分岐部Ｐ１、第２分岐部Ｐ２、第１合流部Ｒ１、第１調湿素子Ｅ１の調湿部Ｗ、第３分岐部Ｐ３及び第２合流部Ｒ２を順次通過して室内給気口３３から流出して室内空間に供給されるように構成されている。
【００６３】
第１除湿用給気通路Ｌ１ａには、室外給気口３０から第１分岐部Ｐ１までの通路部に室外空気ＯＡを吸入する給気ファンＦ１が設けられ、第１分岐部Ｐ１の下流側であって第２分岐部Ｐ２の上流側に通路を開閉するダンパＶ１が設けられ、第２分岐部Ｐ２の下流側であって第１合流部Ｒ１の上流側に通路を開閉するダンパＶ２が設けられ、第３分岐部Ｐ３の下流側であって第２合流部Ｒ２の上流側に通路を開閉するダンパＶ３が設けられている。
【００６４】
さらに、第１除湿用給気通路Ｌ１ａには、第１調湿素子Ｅ１の調湿部出口Ｗｏｕｔの下流側であって第３分岐部Ｐ３の上流側に、第１調湿素子Ｅ１の調湿部Ｗを通過した空気の温度を検出する第１温度検出部３５Ａ（温度検出部の一例）と、第１調湿素子Ｅ１の調湿部Ｗを通過した空気の湿度を検出する第１湿度検出部３５Ｂ（湿度検出部の一例）とが設けられている。この第１湿度検出部３５Ｂは、絶対湿度を検出するものである。
【００６５】
また、第１除湿用排気通路Ｌ２ａ（排気通路の一例）は、第１調湿素子Ｅ１が給気側素子Ｅａに切り換えられているときに、室内空間から取り出した室内空気ＲＡを冷却用空気ＣＡとして、第１調湿素子Ｅ１の冷却部Ｃを通過させて室外空間へ排気する通路である。
【００６６】
第１除湿用排気通路Ｌ２ａを通流する冷却用空気ＣＡは室内空気ＲＡとされ、上流側となる室内排気口３１から流入し、第１調湿素子Ｅ１の冷却部Ｃを通過して、下流側である室外排気口３２から室外空間に排出される。具体的には、室内排気口３１から流入した室内空気ＲＡが、上流側から下流側に向かって、第４分岐部Ｐ４、第１調湿素子Ｅ１の冷却部Ｃ及び第３合流部Ｒ３を順次通過して室外排気口３２から室外空間に排出されるように構成されている。
【００６７】
第１除湿用排気通路Ｌ２ａには、第４分岐部Ｐ４の下流側であって第１調湿素子Ｅ１の冷却部入口Ｃｉｎの上流側に通路を開閉するダンパＶ４が設けられ、第３合流部Ｒ３の下流側であって室外排気口３２の上流側に空気を室外空間に排出する排気ファンＦ２が設けられている。
【００６８】
また、第１室外空気循環通路Ｌ３ａは、第２調湿素子Ｅ２が回復側素子Ｅｂに切り換えられているときに、室外空間から取り込んだ室外空気ＯＡを回復用空気Ｒとして、第２調湿素子Ｅ２の調湿部Ｗを通過させて室外空間へ排出する通路である。
【００６９】
第１室外空気循環通路Ｌ３ａを通流する回復用空気Ｒは室外空気ＯＡとされ、上流側となる室外給気口３０から流入し、加熱部２１を通過した後に、第２調湿素子Ｅ２の調湿部Ｗを通過して、下流側となる室外排気口３２から室外空間に排出される。具体的には、室外給気口３０から流入した室外空気ＯＡが、上流側から下流側に向かって、第１分岐部Ｐ１、加熱部２１、第６分岐部Ｐ６、第４合流部Ｒ４、第２調湿素子Ｅ２の調湿部Ｗ、第５分岐部Ｐ５、第５合流部Ｒ５、及び、第３合流部Ｒ３を順次通過して、室外排気口３２から室外空間に排出されるように構成されている。
【００７０】
第１室外空気循環通路Ｌ３ａには、第１分岐部Ｐ１の下流側であって第６分岐部Ｐ６の上流側に加熱部２１が設けられ、第６分岐部Ｐ６の下流側であって第４合流部Ｒ４の上流側に通路を開閉するダンパＶ５が設けられている。また、第５分岐部Ｐ５の下流側であって第５合流部Ｒ５の上流側に通路を開閉するダンパＶ６が設けられている。さらに、上述した給気ファンＦ１及び排気ファンＦ２が設けられている。
【００７１】
図２に示した空調システム１００の状態は、一対の調湿素子Ｅのうちの第１調湿素子Ｅ１が、室外空気ＯＡの除湿により吸着した水分を脱着する回復側素子Ｅｂに、第２調湿素子Ｅ２が、室内空間に供給する室外空気ＯＡを除湿する給気側素子Ｅａに切り換えられた第２除湿空調状態である。
【００７２】
図２に基づいて、第２除湿用給気通路Ｌ１ｂ、第２除湿用排気通路Ｌ２ｂ及び第２室外空気循環通路Ｌ３ｂについて説明する。図２では、第２除湿用給気通路Ｌ１ｂを２点鎖線で示し、第２除湿用排気通路Ｌ２ｂを１点鎖線で示し、第２室外空気循環通路Ｌ３ｂを破線で示す。
【００７３】
第２除湿用給気通路Ｌ１ｂ（給気通路の一例）は、第２調湿素子Ｅ２が給気側素子Ｅａに切り換えられているときに、室外空間から取り込んだ室外空気ＯＡを、第２調湿素子Ｅ２の調湿部Ｗを通過させて室内空間へ供給する通路である。
【００７４】
第２除湿用給気通路Ｌ１ｂを通流する室外空気ＯＡとしての調湿用空気ＷＡは、上流側となる室外給気口３０から流入して、第２調湿素子Ｅ２の調湿部Ｗを通過して、下流側となる室内給気口３３から流出して室内空間に供給される。具体的には、室外給気口３０から流入した室外空気ＯＡが、上流側から下流側に向かって、第１分岐部Ｐ１、第２分岐部Ｐ２、第４合流部Ｒ４、第２調湿素子Ｅ２の調湿部Ｗ、第５分岐部Ｐ５及び第２合流部Ｒ２を順次通過して、室内給気口３３から流出して室内空間に供給されるように構成されている。
【００７５】
第２除湿用給気通路Ｌ１ｂには、給気ファンＦ１が設けられ、第２分岐部Ｐ２の下流側であって第４合流部Ｒ４の上流側に通路を開閉するダンパＶ７が設けられ、第５分岐部Ｐ５の下流側であって第２合流部Ｒ２の上流側に通路を開閉するダンパＶ８が設けられている。
【００７６】
さらに、第２除湿用給気通路Ｌ１ｂには、第２調湿素子Ｅ２の調湿部出口Ｗｏｕｔの下流側であって第５分岐部Ｐ５の上流側に、第２調湿素子Ｅ２の調湿部Ｗを通過した空気の温度を検出する第２温度検出部３４Ａと、第２調湿素子Ｅ２の調湿部Ｗを通過した空気の湿度を検出する第２湿度検出部３４Ｂとが設けられている。この第２湿度検出部３４Ｂは、絶対湿度を検出するものである。
【００７７】
また、第２除湿用排気通路Ｌ２ｂ（排気通路の一例）は、第２調湿素子Ｅ２が給気側素子Ｅａに切り換えられているときに、室内空間から取り出した室内空気ＲＡを冷却用空気ＣＡとして、第２調湿素子Ｅ２の冷却部Ｃを通過させて室外空間へ排気する通路である。
【００７８】
第２除湿用排気通路Ｌ２ｂを通流する冷却用空気ＣＡは室内空気ＲＡとされ、上流側となる室内排気口３１から流入し、第２調湿素子Ｅ２の冷却部Ｃを通過して、下流側である室外排気口３２から室外空間に排出される。具体的には、室内空気ＲＡが室内排気口３１から流入し、上流側から下流側に向かって、第４分岐部Ｐ４、第２調湿素子Ｅ２の冷却部Ｃ、第５合流部Ｒ５及び第３合流部Ｒ３を順次通過して、室外排気口３２から室外空間に排出するように構成されている。第２除湿用排気通路Ｌ２ｂには、上述した排気ファンＦ２が設けられている。
【００７９】
第２除湿用排気通路Ｌ２ｂには、第４分岐部Ｐ４の下流側であって第２調湿素子Ｅ２の冷却部入口Ｃｉｎの上流側に通路を開閉するダンパＶ９が設けられている。
【００８０】
また、第２室外空気循環通路Ｌ３ｂは、第１調湿素子Ｅ１が回復側素子Ｅｂに切り換えられているときに、室外空間から取り込んだ室外空気ＯＡを回復用空気Ｒとして、第１調湿素子Ｅ１の調湿部Ｗを通過させて室外空間へ排出する通路である。
【００８１】
第２室外空気循環通路Ｌ３ｂを通流する回復用空気Ｒは室外空気ＯＡとされ、上流側となる室外給気口３０から流入し、加熱部２１を通過した後に、第２調湿素子Ｅ２の調湿部Ｗを通過して、下流側となる室外排気口３２から室外空間に排出される。具体的には、室外給気口３０から流入した室外空気ＯＡが、上流側から下流側に向かって、第１分岐部Ｐ１、加熱部２１、第６分岐部Ｐ６、第１合流部Ｒ１、第１調湿素子Ｅ１の調湿部Ｗ、第３分岐部Ｐ３、第３合流部Ｒ３を順次通過して、室外排気口３２から室外空間に排出するように構成されている。
【００８２】
第２室外空気循環通路Ｌ３ｂには、上述した給気ファンＦ１及び排気ファンＦ２が設けられ、第１分岐部Ｐ１の下流側であって第６分岐部Ｐ６の上流側に加熱部２１が設けられ、第６分岐部Ｐ６の下流側であって第１合流部Ｒ１の上流側に通路を開閉するダンパＶ１０が設けられている。第３分岐部Ｐ３の下流側であって第３合流部Ｒ３の上流側に通路を開閉するダンパＶ１１が設けられている。さらに、第２室外空気循環通路Ｌ３ｂには、上述した第１温度検出部３５Ａ及び第１湿度検出部３５Ｂが設けられている。
【００８３】
加熱部２１は、加湿運転における調湿用空気ＷＡ及び除湿運転における回復用空気Ｒを、熱媒流通路２０を通流する熱媒との熱交換により加熱するものであり、加熱部２１を通過する調湿用空気ＷＡ及び回復用空気Ｒの温度が予め設定された設定温度となるように、制御部Ｓにより熱媒流通路２０を通流する熱媒の流量を変化させるように構成されている。
【００８４】
熱媒流通路２０には、図示しないボイラーから供給される湯水や、図示しないコジェネレーションシステムから排出された湯水等が、熱媒として通流するものであり、熱媒流通路２０に設けられた図示しない熱媒流量調整弁が制御部Ｓにより制御されて熱媒流通路２０を通流する熱媒の流量を調整可能とされている。また、ダンパＶ１〜Ｖ１２、給気ファンＦ１及び排気ファンＦ２の動作が制御部Ｓによって制御されるように構成されている。
【００８５】
次に、本実施形態に係る加湿運転における空調システム１００の通路構成について説明する。
図３に基づいて、第１加湿用給気通路Ｌ４ａ及び、第１加湿用排気通路Ｌ５ａについて説明する。図３では、第１加湿用給気通路Ｌ４ａを２点鎖線で示し、第１加湿用排気通路Ｌ５ａを破線で示す。
【００８６】
第１加湿用給気通路Ｌ４ａ（給気通路の一例）は、第１調湿素子Ｅ１が給気側素子Ｅａに切り換えられているときに、室外空間から取り込んだ室外空気ＯＡを、加熱部２１及び第１調湿素子Ｅ１の調湿部Ｗを通過させて室内空間へ供給する通路である。
【００８７】
第１加湿用給気通路Ｌ４ａを通流する室外空気ＯＡとしての調湿用空気ＷＡは、上流側となる室外給気口３０から流入して、第１調湿素子Ｅ１の調湿部Ｗを通過して、下流側となる室内給気口３３から流出して室内空間に供給される。具体的には、室外給気口３０から流入した室外空気ＯＡが、上流側から下流側に向かって、第１分岐部Ｐ１、加熱部２１、第６分岐部Ｐ６、第１合流部Ｒ１、第１調湿素子Ｅ１の調湿部Ｗ、第３分岐部Ｐ３及び第２合流部Ｒ２を順次通過して、室内給気口３３から流出して室内空間に供給されるように構成されている。
【００８８】
第１加湿用給気通路Ｌ４ａには、上述した給気ファンＦ１、加熱部２１、ダンパＶ１０及びダンパＶ３が設けられている。さらに、上述した第１温度検出部３５Ａ及び第１湿度検出部３５Ｂが設けられている。
【００８９】
なお、上述の如く、本実施形態においては、給気側素子Ｅａの調湿部Ｗを通過する調湿用空気ＷＡを加熱する給気用加熱部と、回復側素子Ｅｂの調湿部Ｗを通過する回復用空気Ｒを加熱する回復用加熱部とが、加熱部２１によって構成されている。
【００９０】
また、第１加湿用排気通路Ｌ５ａ（排気通路の一例）は、第２調湿素子Ｅ２が回復側素子Ｅｂに切り換えられているときに、室内空間から取り出した室内空気ＲＡを、第２調湿素子Ｅ２の調湿部Ｗを通過させて室外空間へ排出する排気通路である。
【００９１】
第１加湿用排気通路Ｌ５ａを通流する室内空気ＲＡとしての調湿用空気ＷＡは、上流側となる室内排気口３１から流入して、第２調湿素子Ｅ２の調湿部Ｗを通過して、下流側となる室外排気口３２から流出して室外空間に排出される。具体的には、室内排気口３１から流入した室内空気ＲＡが、上流側から下流側に向かって、第４分岐部Ｐ４、第２分岐部Ｐ２、第４合流部Ｒ４、第２調湿素子Ｅ２の調湿部Ｗ、第５分岐部Ｐ５、第５合流部Ｒ５及び第３合流部Ｒ３を順次通過して、室外排気口３２から室外空間に排出されるように構成されている。
【００９２】
第１加湿用排気通路Ｌ５ａには、第４分岐部Ｐ４の下流側であって第２分岐部Ｐ２の上流側にダンパＶ１２が設けられている。さらに、上述した排気ファンＦ２、ダンパＶ７及びダンパＶ６が設けられている。上述した第２温度検出部３４Ａ及び第２湿度検出部３４Ｂが設けられている。
【００９３】
次に、図４に基づいて、第２加湿用給気通路Ｌ４ｂ及び、第２加湿用排気通路Ｌ５ｂについて説明する。図４では、第２加湿用給気通路Ｌ４ｂを２点鎖線で示し、第２加湿用排気通路Ｌ５ｂを破線で示す。
【００９４】
第２加湿用給気通路Ｌ４ｂ（給気通路の一例）は、第２調湿素子Ｅ２が給気側素子Ｅａに切り換えられているときに、室外空間から取り込んだ室外空気ＯＡを、加熱部２１及び第２調湿素子Ｅ２の調湿部Ｗを通過させて室内空間へ供給する通路である。
【００９５】
第２加湿用給気通路Ｌ４ｂを通流する室外空気ＯＡとしての調湿用空気ＷＡは、上流側となる室外給気口３０から流入して、第１調湿素子Ｅ１の調湿部Ｗを通過して、下流側となる室内給気口３３から流出して室内空間に供給される。具体的には、室外給気口３０から流入した室外空気ＯＡが、上流側から下流側に向かって、第１分岐部Ｐ１、加熱部２１、第６分岐部Ｐ６、第４合流部Ｒ４、第２調湿素子Ｅ２の調湿部Ｗ、第５分岐部Ｐ５及び第２合流部Ｒ２を順次通過して、室内給気口３３から流出して室内空間に供給されるように構成されている。
【００９６】
第２加湿用給気通路Ｌ４ｂには、上述した給気ファンＦ１、加熱部２１、ダンパＶ５及びダンパＶ８が設けられている。さらに、上述した第２温度検出部３４Ａ及び第２湿度検出部３４Ｂが設けられている。
【００９７】
第２加湿用排気通路Ｌ５ｂ（排気通路の一例）は、第１調湿素子Ｅ１が回復側素子Ｅｂに切り換えられているときに、室内空間から取り出した室内空気ＲＡを、第１調湿素子Ｅ１の調湿部Ｗを通過させて室外空間へ排出する通路である。
【００９８】
第２加湿用排気通路Ｌ５ｂを通流する室内空気ＲＡとしての回復用空気Ｒは、上流側となる室内排気口３１から流入して、第２調湿素子Ｅ２の調湿部Ｗを通過して、下流側となる室外排気口３２から流出して室外空間に排出される。具体的には、室内排気口３１から流入した室内空気ＲＡが、上流側から下流側に向かって、第４分岐部Ｐ４、第２分岐部Ｐ２、第１合流部Ｒ１、第１調湿素子Ｅ１の調湿部Ｗ、第３分岐部Ｐ３、第３合流部Ｒ３を順次通過して、室外排気口３２から室外空間に排出されるように構成されている。
【００９９】
第２加湿用排気通路Ｌ５ｂには、上述した排気ファンＦ２、ダンパＶ１２、ダンパＶ２及びダンパＶ１１が設けられている。また、上述した第１温度検出部３５Ａ及び第１湿度検出部３５Ｂが設けられている。
【０１００】
次に、本実施形態に係る空調システム１００を、第１除湿空調状態から第２除湿空調状に切り換える切換処理について説明する。
この空調システム１００は、除湿運転において、図１に示すように、第１調湿素子Ｅ１を給気側素子Ｅａとして、給気側素子Ｅａの調湿部Ｗに調湿用空気ＷＡを通過させて調湿用空気ＷＡに含まれる水分を調湿部Ｗに吸着させ、給気側素子Ｅａの冷却部Ｃに冷却用空気ＣＡを通過させて調湿部Ｗにて発生する吸着熱を吸収させ、第２調湿素子Ｅ２を回復側素子Ｅｂとして、回復側素子Ｅｂの調湿部Ｗに加熱部２１により加熱した回復用空気Ｒを通過させて調湿部Ｗから回復用空気Ｒに水分を脱着させる第１除湿空調状態と、図２に示すように、第２調湿素子Ｅ２を給気側素子Ｅａとして、給気側素子Ｅａの調湿部Ｗに調湿用空気ＷＡを通過させて調湿用空気ＷＡに含まれる水分を調湿部Ｗに吸着させ、給気側素子Ｅａの冷却部Ｃに冷却用空気ＣＡを通過させて調湿部Ｗにて発生する吸着熱を吸収させ、第１調湿素子Ｅ２１を回復側素子Ｅｂとして、回復側素子Ｅｂの調湿部Ｗに加熱部２１により加熱した回復用空気Ｒを通過させて調湿部Ｗから回復用空気Ｒに水分を脱着させる第２除湿空調状態とに切り換えられるように構成されている。
【０１０１】
そして、制御部Ｓが、一対の調湿素子Ｅを上述のように第１除湿空調状態と第２除湿空調状態とに切り換える切換処理を、切換機構ＶとしてのダンパＶ１〜Ｖ１２の開閉状態を制御することにより実施するように構成されている。なお、図１及び図２には、空気が通流している通路を太線で示し、空気が通流していない通路を細線で示す。
【０１０２】
制御部ＳによるダンパＶ１〜Ｖ１２の開閉状態の制御について、図１に示した第１除湿空調状態について説明すると、太線で示した空気が通流する通流状態となっている通路に設けられたダンパ、つまり、第１除湿用給気通路Ｌ１ａに設けられたダンパＶ１、Ｖ２、Ｖ３、第１除湿用排気通路Ｌ２ａに設けられたダンパＶ４、第１室外空気循環通路Ｌ３ａに設けられたダンパＶ５、Ｖ６が開状態に制御され、細線で示した空気が通流していない非通流状態となっている通路に設けられたダンパＶ７〜Ｖ１２が閉状態に制御されている。なお、図１及び図２においては、閉状態となっているダンパに黒丸を付して示し、開状態となっているダンパに白抜きの丸を付して示す。
【０１０３】
また、制御部ＳによるダンパＶ１〜Ｖ１２の開閉状態の制御について、図２に示した第２除湿空調状態について説明すると、太線で示した空気が通流する通流状態となっている通路に設けられたダンパ、つまり、第２除湿用給気通路Ｌ１ｂに設けられたダンパＶ１、Ｖ７、Ｖ８、第２除湿用排気通路Ｌ２ｂに設けられたダンパＶ９、第２室外空気循環通路Ｌ３ｂに設けられたダンパＶ１０、Ｖ１１、第１加湿用排気通路Ｌ５ａに設けられたダンパＶ１２が開状態に制御され、細線で示した空気が通流していない非通流状態となっている通路に設けられたダンパＶ２〜Ｖ６が閉状態に制御されている。
【０１０４】
次に、本実施形態に係る空調システム１００を、第１加湿空調状態から第２加湿空調状に切り換える切換処理について説明する。
空調システム１００は、加湿運転において、図３に示すように、第１調湿素子Ｅ１を給気側素子Ｅａとして、給気側素子Ｅａの調湿部Ｗに加熱部２１により加熱した調湿用空気ＷＡを通過させて調湿部Ｗから調湿用空気ＷＡに水分を脱着させ、第２調湿素子Ｅ２を回復側素子Ｅｂとして、回復側素子Ｅｂの調湿部Ｗに回復用空気Ｒを通過させて調湿部Ｗに水分を吸着させる第１加湿空調状態と、図４に示すように、第２調湿素子Ｅ２を給気側素子Ｅａとして、給気側素子Ｅａの調湿部Ｗに加熱部２１により加熱した調湿用空気ＷＡを通過させて調湿部Ｗから調湿用空気ＷＡに水分を脱着させ、第１調湿素子Ｅ１を回復側素子Ｅｂとして、回復側素子Ｅｂの調湿部Ｗに回復用空気Ｒを通過させて調湿部Ｗに水分を吸着させる第２加湿空調状態とに切り換えられるように構成されている。
【０１０５】
そして、制御部Ｓが、一対の調湿素子Ｅを上述のように第１加湿空調状態と第２加湿空調状態とに切り換える切換処理を、切換機構ＶとしてのダンパＶ１〜Ｖ１２の開閉状態を制御することにより実施するように構成されている。なお、図３及び図４においては、空気が通流している通路部分を太線で示し、空気が通流していない通路部分を細線で示す。
【０１０６】
制御部ＳによるダンパＶ１〜Ｖ１２の開閉状態の制御について、図３に示した第１加湿空調状態について説明すると、太線で示した空気が通流する通流状態となっている通路に設けられたダンパ、つまり、第１加湿用給気通路Ｌ４ａに設けられたダンパＶ３、Ｖ１０、第１加湿用排気通路Ｌ５ａに設けられたダンパＶ７、Ｖ６、Ｖ１２が開状態に制御され、その他の細線で示した空気が通流していない非通流状態となっている通路に設けられたダンパが閉状態に制御されている。なお、図３及び図４においては、閉状態となっているダンパに黒丸を付して示し、開状態となっているダンパに白抜きの丸を付して示す。
【０１０７】
また、制御部ＳによるダンパＶ１〜Ｖ１２の開閉状態の制御について、図４に示した第２加湿空調状態について説明すると、太線で示した空気が通流する通流状態となっている通路に設けられたダンパ、つまり、第２加湿用給気通路Ｌ４ｂに設けられたダンパＶ５、Ｖ８、第２加湿用排気通路Ｌ５ｂに設けられたダンパＶ２、Ｖ１１、Ｖ１２が開状態に制御され、その他の細線で示した空気が通流していない非通流状態となっている通路に設けられたダンパが閉状態に制御されている。
【０１０８】
次に、空調システム１００の除湿運転及び加湿運転において、各通路を通流する空気の流量調整について説明する。
各通路を通流する空気の流量調整は、各通路に通流させる空気の目標流量（単位時間あたりの流量）を決定し、その決定した目標流量となるように給気ファンＦ１、排気ファンＦ２の送風能力及びダンパＶ１〜Ｖ１２の開度を調節することによって行う。
例えば、第１除湿空調状態においては、第１除湿用給気通路Ｌ１ａにより室内空間へ供給する室外空気ＯＡの目標流量、第１除湿用排気通路Ｌ２ａにより室内空間から取り出す室内空気ＲＡの目標流量、及び、第１室外空気循環通路Ｌ３ａにより回復側素子Ｅｂの調湿部Ｗを通過させる室外空気ＯＡの目標流量を決定する。
【０１０９】
そして、各通路に通流する空気の流量が目標流量となるように、空気を通流させない通路に設けられたダンパ、つまり、第２除湿用給気通路Ｌ１ｂに設けられたダンパＶ７、Ｖ８、第２除湿用排気通路Ｌ２ｂに設けられたダンパＶ９、第２室外空気循環通路Ｌ３ｂに設けられたダンパＶ１０、Ｖ１１、第１加湿用排気通路Ｌ５ａに設けられたダンパＶ１２を閉状態として、給気ファンＦ１、排気ファンＦ２のファン回転数を調節しつつ、空気が通流する通流状態となっている通路に設けられたダンパ、つまり、第１除湿用給気通路Ｌ１ａに設けられたダンパＶ１〜Ｖ３、第１除湿用排気通路Ｌ２ａに設けられたダンパＶ４、第１室外空気循環通路Ｌ３ａに設けられたダンパＶ５、Ｖ６の開度を調節する。
【０１１０】
なお、第１除湿用給気通路Ｌ１ａ及び第１除湿用排気通路Ｌ２ａの目標流量については、例えば、使用者によって設定された室内の換気量に基づいて決定される。また、第１室外空気循環通路Ｌ３ａの目標流量については、回復用空気Ｒとして回復側素子Ｅｂの調湿部Ｗの水分を脱着させるために必要となる予め定められた所定の流量とされている。
【０１１１】
また、本実施形態においては、室内の圧力を一定に維持した状態で換気するために、第１除湿用給気通路Ｌ１ａにより室内空間へ供給する室外空気ＯＡの流量と、第１除湿用排気通路Ｌ２ａにより室内空間から取り出す室内空気ＲＡの流量とが同等となるように、第１除湿用給気通路Ｌ１ａと第１除湿用排気通路Ｌ２ａとの目標流量が決定される。
【０１１２】
そして、上述の如く、例えば、第１除湿空調状態においては、第１除湿用給気通路Ｌ１ａ、第１除湿用排気通路Ｌ２ａ、及び、第１室外空気循環通路Ｌ３ａの夫々の通路の流量が、決定された目標流量となるように、制御部Ｓが、給気ファンＦ１、排気ファンＦ２の送風能力及び第１除湿用給気通路Ｌ１ａに設けられたダンパＶ１〜Ｖ３、第１除湿用排気通路Ｌ２ａに設けられたダンパＶ４、第１室外空気循環通路Ｌ３ａに設けられたダンパＶ５、Ｖ６の開度を調節することにより調整される。
なお、第２除湿空調状態、第１加湿空調状態、及び、第２加湿空調状態においても、各通路を通流する空気の流量が同様に調整されている。
【０１１３】
次に、制御部Ｓが、除湿運転において、切換処理を実施するタイミングについて、第１除湿空調状態から第２除湿空調状態への切換処理を例に挙げて説明する。
【０１１４】
本実施形態では、制御部Ｓは、除湿運転において、第１温度検出部３５Ａ及び第１湿度検出部３５Ｂの少なくとも一方の検出結果に基づいて切換機構Ｖにより切換処理を実施するように構成されている。
【０１１５】
つまり、第１除湿空調状態において、制御部Ｓは、給気側素子Ｅａとなる第１調湿素子Ｅ１の調湿部Ｗを通過して除湿される調湿用空気ＷＡ（供給空気ＳＡ）の温度及び湿度を、第１除湿用給気通路Ｌ１ａに設けられた第１温度検出部３５Ａ及び第１湿度検出部３５Ｂにより検出し、その検出結果に基づいて、第１除湿空調状態から第２除湿空調状態への切換処理を切換機構Ｖによって実施するように構成されている。なお、第１湿度検出部３５Ｂにて検出される湿度は絶対湿度である。
【０１１６】
図８は、第１除湿空調状態において、第１温度検出部３５Ａにおいて検出された調湿用空気ＷＡ（供給空気ＳＡ）の温度検出結果、及び、第１湿度検出部３５Ｂにおいて検出された調湿用空気ＷＡ（供給空気ＳＡ）の湿度検出結果を示すものである。図８においては、切換処理の実施時を切換処理の開始時Ｔ０として、切換処理からの経過時間である切換後経過時間Ｔａを横軸に示し、調湿用空気ＷＡの温度、及び、調湿用空気ＷＡの湿度（絶対湿度）を縦軸に示す。また、図８において、絶対湿度ＨOAは、室外空間の室外空気ＯＡの絶対湿度を示し、室外温度ＴＥOAは、室外空間の室外空気ＯＡの温度を示す。
【０１１７】
図８に示す調湿用空気ＷＡの湿度については、切換処理の実施直後においては、給気側素子Ｅａの調湿部Ｗの水分の吸着性能が高いため、第１湿度検出部３５Ｂによって検出された調湿用空気ＷＡの湿度が低くなる。その後、切換後経過時間Ｔａの経過に伴って、給気側素子Ｅａの調湿部Ｗの水分の吸着性能が低下するので、第１湿度検出部３５Ｂによって検出された調湿用空気ＷＡの湿度が上昇することとなる。
【０１１８】
また、図８に示す調湿用空気ＷＡの温度について説明する。給気側素子Ｅａの調湿部Ｗは、調湿部Ｗへの水分吸着による吸着熱により加熱され、冷却部Ｃにより常に冷却されているので、この冷却と加熱により調湿部Ｗを通過する調湿用空気ＷＡの温度が変化することとなる。
【０１１９】
つまり、調湿用空気ＷＡは、切換処理の開始時Ｔ０においては、冷却部Ｃにより冷却されているので、室外空気ＯＡの温度である室外温度ＴＥOAよりも低い温度となっている。そして、切換処理の開始後においては、給気側素子Ｅａの調湿部Ｗの水分の吸着性能が高いため、給気側素子Ｅａの調湿部Ｗへの水分の吸着量が多くなるので、水分の吸着により調湿部Ｗから発生する吸着熱の発生量が増加して、調湿用空気ＷＡの温度が上昇する。その後、切換後経過時間Ｔａが経過することにより、調湿部Ｗに吸着した水分が増加すると、調湿部Ｗの吸着性能が低下して、調湿部Ｗが新たに吸着する水分が少なくなるため、吸着熱の発生量が減少する。
【０１２０】
そして、図８に示すように、制御部Ｓは、切換処理を実施した後、第１温度検出部３５Ａによって検出された調湿用空気ＷＡ（供給空気ＳＡ）の温度が除湿用設定温度ＴＥａ以上となる場合、又は、第１湿度検出部３５Ｂによって検出された調湿用空気ＷＡの湿度が上昇して除湿用設定湿度Ｈａ以上となる場合に、切換処理を実施するように構成されている。
【０１２１】
つまり、調湿用空気ＷＡの温度が上昇して除湿用設定温度ＴＥａ以上となる時期、又は、湿度が上昇して除湿用設定湿度Ｈａ以上となる時期のいずれか早い方の時期に切換処理が実施される。
また、本実施形態においては、除湿を良好に行うために、給気側素子Ｅａの調湿部Ｗが吸着できる水分量に余裕があるときに切換処理が実施されるように、除湿用設定湿度Ｈａ及び除湿用設定温度ＴＥａが設定されている。例えば、給気側素子Ｅａの調湿部Ｗに水分が飽和状態まで吸着したときの水分量である飽和吸着水分量の７０％程度の吸着水分量となったときに、第１温度検出部３５Ａ及び第１湿度検出部３５Ｂにより検出される調湿用空気ＷＡの温度及び湿度を予め実験等により求めて、その温度及び湿度を除湿用設定湿度Ｈａ及び除湿用設定温度ＴＥａとして用いることができる。
【０１２２】
よって、制御部Ｓは、第１温度検出部３５Ａによって検出された調湿用空気ＷＡの温度が、除湿用設定温度ＴＥａ以上となる切換後吸着時間Ｔ１、又は、第１湿度検出部３５Ｂによって検出された調湿用空気ＷＡの湿度が除湿用設定湿度Ｈａ以上となる切換後吸着時間Ｔ２のいずれか早い方の時期に切換処理が実施されるので、図８に示す例においては、調湿用空気ＷＡの温度が、除湿用設定温度ＴＥａ以上となる切換後吸着時間Ｔ１において第１除湿空調状態から第２除湿空調状態に切り換える切換処理が実施される。
【０１２３】
また、第２除湿空調状態に切り換え後には、第２除湿空調状態から第１除湿空調状態への切換処理が、第２温度検出部３４Ａ及び第２湿度検出部３４Ｂによって検出された温度及び湿度に基づいて、第１除湿空調状態から第２除湿空調状態へ切換処理と同様に実施される。このようにして切換処理が繰り返され、連続して除湿された室外空気が室内に供給される。
【０１２４】
次に、制御部Ｓが、加湿運転において、一対の調湿素子Ｅの夫々を、給気側素子Ｅａと回復側素子Ｅｂとに切り換える切換処理を実施する時期について、第１加湿空調状態から第２加湿空調状態への切換を例に挙げて説明する。
【０１２５】
第１加湿空調状態において、制御部Ｓは、給気側素子Ｅａとして機能する第１調湿素子Ｅ１の調湿部Ｗを通過して加湿され、室内空間に供給される調湿用空気ＷＡ（供給空気ＳＡ）の温度及び湿度を、第１加湿用給気通路Ｌ４ａに設けられた第１温度検出部３５Ａ及び第１湿度検出部３５Ｂにより検出し、その検出結果に基づいて、第１加湿空調状態から第２加湿空調状態への切換処理を実施するように構成されている。なお、第１湿度検出部３５Ｂにて検出される湿度は絶対湿度である。
【０１２６】
図９は、第１加湿空調状態において、第１温度検出部３５Ａにおいて検出された調湿用空気ＷＡ（供給空気ＳＡ）の温度検出結果、及び、第１湿度検出部３５Ｂにおいて検出された調湿用空気ＷＡ（供給空気ＳＡ）の湿度検出結果を示すものである。図９においては、切換処理の実施時を切換処理の開始時Ｔ０として、切換処理からの経過時間である切換後経過時間Ｔａを横軸に示し、調湿用空気ＷＡの温度、及び、調湿用空気ＷＡの湿度（絶対湿度）を縦軸に示す。また、図９において、絶対湿度ＨOAは、室外空間の室外空気ＯＡの絶対湿度を示し、室外温度ＴＥOAは、室外空間の室外空気ＯＡの温度を示している。
【０１２７】
図９に示す調湿用空気ＷＡの絶対湿度の変化について説明すると、切換処理の実施直後においては、給気側素子Ｅａの調湿部Ｗから脱着する水分量が多いため、第１湿度検出部３５Ｂによって検出された調湿用空気ＷＡの絶対湿度Ｈが高くなる。その後、時間経過に伴って、給気側素子Ｅａの調湿部Ｗに残留する水分が減少することにより、調湿部Ｗから調湿用空気ＷＡ中に脱着する水分量が低下するので、第１湿度検出部３５Ｂによって検出された調湿用空気ＷＡの湿度が、時間経過に伴って、室外空気ＯＡの絶対湿度ＨOAに向かって徐々に減少することとなる。
【０１２８】
また、図９に示す調湿用空気ＷＡの温度変化について説明すると、加熱部２１によって加熱した室外空気ＯＡを調湿用空気ＷＡとして給気側素子Ｅａの調湿部Ｗを通過させるので、調湿用空気ＷＡの温度は室外空気の温度である室外温度ＴＥOAよりも高い温度となる。なお、調湿用空気ＷＡは、加熱部２１の出口における温度が出口温度ＴＥｈとなるように加熱部２１により加熱されている。
【０１２９】
切換処理の実施直後においては、給気側素子Ｅａの調湿部Ｗから脱着する水分量が多いので、調湿用空気ＷＡの温度が低い温度となっている。つまり、調湿部Ｗに吸着している水分が多いので、調湿用空気ＷＡに蒸発する水分が多くなる。これにより、調湿用空気ＷＡから大きな蒸発潜熱が奪われて調湿用空気ＷＡの温度が出口温度ＴＥｈよりも大幅に低下する。その後、時間経過に伴って、調湿部Ｗに残留している水分が少なくなると、調湿部Ｗから調湿用空気ＷＡへ蒸発する水分が減少するので、調湿用空気ＷＡから奪われる蒸発潜熱が少なくなる。これにより、調湿用空気ＷＡの温度が徐々に出口温度ＴＥｈに向かって上昇することとなる。
【０１３０】
そして、制御部Ｓは、切換処理を実施した後、第１温度検出部３５Ａによって検出された調湿用空気ＷＡ（供給空気ＳＡ）の温度が加湿用設定温度ＴＥｂ以上となる場合、又は、第１湿度検出部３５Ｂによって検出された調湿用空気ＷＡの湿度が低下して加湿用設定湿度Ｈｂ以下となる場合に、切換処理を実施するように構成されている。
【０１３１】
つまり、制御部Ｓは、調湿用空気ＷＡの温度が上昇して加湿用設定温度ＴＥｂ以上となる時期、又は、湿度が上昇して加湿用設定湿度Ｈｂ以下となる時期のいずれか早い方の時期に切換処理が実施するように構成されている。
また、本実施形態においては、加湿を良好に行うために、給気側素子Ｅａの調湿部Ｗに残留する水分量が充分にあるときに切換処理が行われるように加湿用設定湿度Ｈｂ及び加湿用設定温度ＴＥｂが設定されている。例えば、給気側素子Ｅａの調湿部Ｗに水分が飽和状態まで吸着したときの水分量である飽和吸着水分量の３０％程度の残留水分量となったときに、第１温度検出部３５Ａ及び第１湿度検出部３５Ｂにより検出される調湿用空気ＷＡの温度及び湿度を予め実験等により求め、その温度及び湿度を除湿用設定湿度Ｈａ及び除湿用設定温度ＴＥａとして用いることができる。
【０１３２】
そして、本実施形態では、制御部Ｓは、第１温度検出部３５Ａによって検出された調湿用空気ＷＡの温度が、加湿用設定温度ＴＥｂ以上となる切換後経過時間Ｔ５、又は、第１湿度検出部３５Ｂによって検出された調湿用空気ＷＡの湿度が加湿用設定湿度Ｈｂ以下となる切換後経過時間Ｔ６のいずれか早い方の時期に切換処理が実施されるので、図９に示す例においては、調湿用空気ＷＡの温度が、加湿用設定温度ＴＥｂ以上となる切換後経過時間Ｔ５において第１加湿空調状態から第２加湿空調状態に切り換える切換処理が実施される。
【０１３３】
また、第２加湿空調状態に切り換え後には、第２加湿空調状態から第１加湿空調状態への切換処理が、第２温度検出部３４Ａ及び第２湿度検出部３４Ｂによって検出された温度及び湿度に基づいて、第１加湿空調状態から第２加湿空調状態へ切換処理と同様に実施される。このようにして切換処理が繰り返され、連続して加湿された室外空気が室内に供給される。
【０１３４】
〔第２実施形態〕
次に、第２実施形態を説明するが、この第２実施形態では、除湿運転における、給気流路、排気流路、室外空気循環流路、及び、加湿運転における、給気流路、排気流路の流路構成が第１実施形態と異なるものであって、その他の構成は第１実施形態と同様であるので、第１実施形態と異なる部分についてのみ説明して、第１実施形態と同様な構成については、詳細な説明を省略する。
【０１３５】
第２実施形態に係る除湿運転における空調システム２００の通路構成について説明する。
図１０に示した空調システム２００の状態は、一対の調湿素子Ｅのうちの第１調湿素子Ｅ１が室内空間に供給する室外空気ＯＡを除湿する給気側素子Ｅａに、第２調湿素子Ｅ２が室外空気ＯＡの除湿により吸着した水分を脱着する回復側素子Ｅｂに切り換えられた第１除湿空調状態である。
【０１３６】
図１０に基づいて、第１除湿用給気通路Ｌ１１ａ、第１除湿用排気通路Ｌ１２ａ及び第１室外空気循環通路Ｌ１３ａについて説明する。図１０では、第１除湿用給気通路Ｌ１１ａを２点鎖線で示し、第１除湿用排気通路Ｌ１２ａを破線で示し、第１室外空気循環通路Ｌ１３ａを一点鎖線で示す。
【０１３７】
第１除湿用給気通路Ｌ１１ａ（給気通路の一例）は、第１調湿素子Ｅ１が給気側素子Ｅａに切り換えられているときに、室外空間から取り込んだ室外空気ＯＡを、第１調湿素子Ｅ１の調湿部Ｗを通過させて室内空間へ供給する通路である。
【０１３８】
第１除湿用給気通路Ｌ１１ａを通流する室外空気ＯＡとしての調湿用空気ＷＡは、上流側となる室外給気口３０から流入して、下流側に向かって、第１分岐部Ｐ１１、給気用加熱部２２、第２分岐部Ｐ１２、第３分岐部Ｐ１３、第１調湿素子Ｅ１の調湿部Ｗ、第１合流部Ｒ１１、第２合流部Ｒ１２、熱交換器ＥＸ１を順次通過して室内給気口３３から流出して室内空間に供給されるように構成されている。
【０１３９】
熱交換器ＥＸ１は、第１除湿用給気通路Ｌ１１ａによって室内空間に供給される調湿用空気ＷＡと、後述する第１除湿用排気通路Ｌ１２ａによって室内空間から取り出された室内空気ＲＡの熱交換を行うものである。熱交換器ＥＸ１により、室内空間に供給される調湿用空気ＷＡと室内空間から取り出された室内空気ＲＡとの熱交換を行うことで、室内空間に供給される調湿用空気ＷＡを室内空間の温度に近づけることができる。
【０１４０】
第１除湿用給気通路Ｌ１１ａには、室外給気口３０から第１分岐部Ｐ１１までの通路部に室外空気ＯＡを吸入する給気ファンＦ１１が設けられ、第２分岐部Ｐ１２の下流側であって第３分岐部Ｐ１３の上流側に通路を開閉するダンパＶ２１が設けられ、第１合流部Ｒ１１の下流側であって第２合流部Ｒ１２の上流側に通路を開閉するダンパＶ２２が設けられ、ダンパＶ２２の下流側であって室内給気口３３の上流側に熱交換器ＥＸ１が設けられている。なお、第１除湿用給気通路Ｌ１１ａでは、給気用加熱部２２は作用しない状態となっている。
【０１４１】
さらに、第１除湿用給気通路Ｌ１１ａには、第１調湿素子Ｅ１の調湿部出口Ｗｏｕｔの下流側であって第１合流部Ｒ１１の上流側に、第１調湿素子Ｅ１の調湿部Ｗを通過した空気の温度を検出する第１温度検出部３５Ａ（温度検出部の一例）と、第１調湿素子Ｅ１の調湿部Ｗを通過した空気の湿度を検出する第１湿度検出部３５Ｂ（湿度検出部の一例）とが設けられている。この第１湿度検出部３５Ｂは、絶対湿度を検出するものである。
【０１４２】
また、第１除湿用排気通路Ｌ１２ａ（排気通路の一例）は、第２調湿素子Ｅ２が回復側素子Ｅｂに切り換えられているときに、室内空間から取り出した室内空気ＲＡを回復用空気Ｒとして、第２調湿素子Ｅ２の調湿部Ｗを通過させて室外空間へ排気する通路である。
【０１４３】
第１除湿用排気通路Ｌ１２ａを通流する回復用空気Ｒは、上流側となる室内排気口３１から流入し、下流側に向かって、熱交換器ＥＸ１、回復用加熱部２４、第４分岐部Ｐ１４、第３合流部Ｒ１３、第２調湿素子Ｅ２の調湿部Ｗ、第５分岐部Ｐ１５、第４合流部Ｒ１４、第５合流部Ｒ１５を順次通過して室外排気口３２から室外空間に排出されるように構成されている。なお、回復用空気Ｒは、第２調湿素子Ｅ２の調湿部出口Ｗｏｕｔから調湿部入口Ｗｉｎに向かって第２調湿素子Ｅ２の調湿部Ｗを通流する。
【０１４４】
第１除湿用排気通路Ｌ１２ａには、第４分岐部Ｐ１４の下流側であって第３合流部Ｒ１３の上流側に通路を開閉するダンパＶ２４が設けられ、第５分岐部Ｐ１５の下流側であって第４合流部Ｒ１４の上流側に通路を開閉するダンパＶ２５が設けられ、第５合流部Ｒ１５の下流側であって室外排気口３２の上流側に空気を室外空間に排出する排気ファンＦ１２が設けられている。
【０１４５】
回復用加熱部２４は、除湿運転における回復用空気Ｒを、回復用熱媒流通路２５を通流する熱媒との熱交換により加熱するものであり、回復用加熱部２４を通過する回復用空気Ｒの温度が予め設定された設定温度となるように、制御部Ｓにより回復用加熱部２４を通流する熱媒の流量を調整可能とされている。
【０１４６】
具体的には、回復用熱媒流通路２５には、図示しないボイラーから供給される湯水や、図示しないコジェネレーションシステムから排出された湯水等が、熱媒として通流するものであり、回復用熱媒流通路２５に設けられた図示しない熱媒流量調整弁が、制御部Ｓにより回復用熱媒流通路２５を通流する熱媒の流量を調整可能とされている。
【０１４７】
また、第１室外空気循環通路Ｌ１３ａは、第１調湿素子Ｅ１が給気側素子Ｅａに切り換えられているときに、室外空間から取り込んだ室外空気ＯＡを冷却用空気ＣＡとして、第１調湿素子Ｅ１の冷却部Ｃを通過させて室外空間へ排出する通路である。
【０１４８】
第１室外空気循環通路Ｌ１３ａを通流する冷却用空気ＣＡは室外空気ＯＡとされ、上流側となる室外給気口３０から流入し、下流側に向かって、第１分岐部Ｐ１１、第６分岐部Ｐ１６、第１調湿素子Ｅ１の調湿部Ｗ、第６合流部Ｒ１６、第５合流部Ｒ１５を順次通過して、室外排気口３２から室外空間に排出されるように構成されている。
【０１４９】
第１室外空気循環通路Ｌ１３ａには、第６分岐部Ｐ１６の下流側であって第１調湿素子Ｅ１の冷却部入口Ｃｉｎの上流側にダンパＶ２３が設けられている。また、上述した給気ファンＦ１１及び排気ファンＦ１２が設けられている。
【０１５０】
図１１に示した空調システム１００の状態は、一対の調湿素子Ｅのうちの第１調湿素子Ｅ１が、室外空気ＯＡの除湿により吸着した水分を脱着する回復側素子Ｅｂに、第２調湿素子Ｅ２が、室内空間に供給する室外空気ＯＡを除湿する給気側素子Ｅａに切り換えられた第２除湿空調状態である。
【０１５１】
図１１に基づいて、第２除湿用給気通路Ｌ１１ｂ、第２除湿用排気通路Ｌ１２ｂ及び第２室外空気循環通路Ｌ１３ｂについて説明する。図１１では、第２除湿用給気通路Ｌ１１ｂを２点鎖線で示し、第２除湿用排気通路Ｌ１２ｂを破線で示し、第２室外空気循環通路Ｌ１３ｂを１点鎖線で示す。
【０１５２】
第２除湿用給気通路Ｌ１１ｂ（給気通路の一例）は、第２調湿素子Ｅ２が給気側素子Ｅａに切り換えられているときに、室外空間から取り込んだ室外空気ＯＡを、第２調湿素子Ｅ２の調湿部Ｗを通過させて室内空間へ供給する通路である。
【０１５３】
第２除湿用給気通路Ｌ１１ｂを通流する室外空気ＯＡとしての調湿用空気ＷＡは、上流側となる室外給気口３０から流入して、下流側に向かって、第１分岐部Ｐ１１、給気用加熱部２２、第２分岐部Ｐ１２、第５分岐部Ｐ１５、第２調湿素子Ｅ２の調湿部Ｗ、第３合流部Ｒ１３、第２合流部Ｒ１２、熱交換器ＥＸ１を順次通過して、室内給気口３３から流出して室内空間に供給されるように構成されている。
【０１５４】
第２除湿用給気通路Ｌ１１ｂには、給気ファンＦ１１が設けられ、第２分岐部Ｐ１２の下流側であって第５分岐部Ｐ１５の上流側に通路を開閉するダンパＶ２６が設けられ、第３合流部Ｒ１３の下流側であって第２合流部Ｒ１２の上流側に通路を開閉するダンパＶ２７が設けられている。さらに、上述した第２温度検出部３４Ａ及び第２湿度検出部３４Ｂが設けられている。第２除湿用給気通路Ｌ１１ｂでは給気用加熱部２２が作用しない。
【０１５５】
また、第２除湿用排気通路Ｌ１２ｂ（排気通路の一例）は、第１調湿素子Ｅ１が回復側素子Ｅｂに切り換えられているときに、室内空間から取り出した室内空気ＲＡを回復用空気Ｒとして、第１調湿素子Ｅ１の調湿部Ｗを通過させて室外空間へ排気する通路である。
【０１５６】
第２除湿用排気通路Ｌ１２ｂを通流する回復用空気Ｒは室内空気ＲＡとされ、上流側となる室内排気口３１から流入し、下流側に向かって、熱交換器ＥＸ１、回復用加熱部２４、第４分岐部Ｐ１４、第１合流部Ｒ１１、第１調湿素子Ｅ１の調湿部Ｗ、第３分岐部Ｐ１３、第６合流部Ｒ１６及び第５合流部Ｒ１５を順次通過して、室外排気口３２から室外空間に排出するように構成されている。なお、回復用空気Ｒは、第１調湿素子Ｅ１の調湿部出口Ｗｏｕｔから調湿部入口Ｗｉｎに向かって第１調湿素子Ｅ１の調湿部Ｗを通流する。
【０１５７】
第２除湿用排気通路Ｌ１２ｂには、上述した排気ファンＦ１２が設けられ、第４分岐部Ｐ１４の下流側であって第１合流部Ｒ１１の上流側に通路を開閉するダンパＶ２９が設けられ、第３分岐部Ｐ１３の下流側であって第６合流部Ｒ１６の上流側に通路を開閉するダンパＶ３０が設けられている。
【０１５８】
さらに、第２室外空気循環通路Ｌ１３ｂは、第２調湿素子Ｅ２が給気側素子Ｅａに切り換えられているときに、室外空間から取り込んだ室外空気ＯＡを冷却用空気ＣＡとして、第２調湿素子Ｅ２の冷却部Ｃを通過させて室外空間へ排出する室外空気循環通路である。
【０１５９】
第２室外空気循環通路Ｌ１３ｂを通流する冷却用空気ＣＡは、上流側となる室外給気口３０から流入し、下流側に向かって、第１分岐部Ｐ１１、第６分岐部Ｐ１６、第２調湿素子Ｅ２の冷却部Ｃ、第４合流部Ｒ１４、第５合流部Ｒ１５を順次通過して、室外排気口３２から室外空間に排出するように構成されている。なお、冷却用空気ＣＡは、調湿部出口Ｗｏｕｔから調湿部入口Ｗｉｎに向かって第１調湿素子Ｅ１の調湿部Ｗを通流する。
【０１６０】
第２室外空気循環通路Ｌ１３ｂには、上述した給気ファンＦ１１及び排気ファンＦ１２が設けられ、第６分岐部Ｐ１６の下流側であって第２調湿素子Ｅ２の冷却部入口Ｃｉｎの上流側に通路を開閉するダンパＶ２８が設けられている。
【０１６１】
次に、第２実施形態に係る加湿運転における空調システム１００の通路構成について説明する。
図１２に基づいて、第１加湿用給気通路Ｌ１４ａ及び、第１加湿用排気通路Ｌ１５ａについて説明する。図１２では、第１加湿用給気通路Ｌ１４ａを２点鎖線で示し、第１加湿用排気通路Ｌ１５ａを破線で示す。
【０１６２】
第１加湿用給気通路Ｌ１４ａ（給気通路の一例）は、第１調湿素子Ｅ１が給気側素子Ｅａに切り換えられているときに、室外空間から取り込んだ室外空気ＯＡを、給気用加熱部２２及び第１調湿素子Ｅ１の調湿部Ｗを通過させて室内空間へ供給する給気通路である。
【０１６３】
第１加湿用給気通路Ｌ１４ａを通流する室外空気ＯＡとしての調湿用空気ＷＡは、上流側となる室外給気口３０から流入し、下流側に向かって、第１分岐部Ｐ１１、給気用加熱部２２、第２分岐部Ｐ１２、第３分岐部Ｐ１３、第１調湿素子Ｅ１の調湿部Ｗ、第１合流部Ｒ１１、第２合流部Ｒ１２、熱交換器ＥＸ１を順次通過して、室内給気口３３から流出して室内空間に供給されるように構成されている。
【０１６４】
第１加湿用給気通路Ｌ１４ａには、上述した給気ファンＦ１１、給気用加熱部２２、ダンパＶ２１及びダンパＶ２２、熱交換器ＥＸ１が設けられている。さらに、上述した第１温度検出部３５Ａ及び第１湿度検出部３５Ｂが設けられている。
【０１６５】
給気用加熱部２２は、加湿運転における調湿用空気ＷＡを、給気用熱媒流通路２３を通流する熱媒との熱交換により加熱するものであり、給気用加熱部２２を通過する調湿用空気ＷＡの温度が予め設定された設定温度となるように、制御部Ｓにより給気用熱媒流通路２３を通流する熱媒の流量を変化させるように構成されている。
【０１６６】
給気用熱媒流通路２３には、図示しないボイラーから供給される湯水や、図示しないコジェネレーションシステムから排出された湯水等が、熱媒として通流するものであり、給気用熱媒流通路２３に設けられた図示しない熱媒流量調整弁が、制御部Ｓにより制御されて回復用熱媒流通路２５を通流する熱媒の流量を調整可能とされている。
【０１６７】
第１加湿用排気通路Ｌ１５ａ（排気通路の一例）は、第１調湿素子Ｅ１が給気側素子Ｅａに切り換えられているときに、室内空間から取り出した室内空気ＲＡを、第２調湿素子Ｅ２の調湿部Ｗを通過させて室外空間へ排出する排気通路である。
【０１６８】
第１加湿用排気通路Ｌ１５ａを通流する室内空気ＲＡとしての回復用空気Ｒは、上流側となる室内排気口３１から流入して、下流側に向かって、熱交換器ＥＸ１、回復用加熱部２４、第４分岐部Ｐ１４、第３合流部Ｒ１３、第２調湿素子Ｅ２の調湿部Ｗ、第５分岐部Ｐ１５、第４合流部Ｒ１４、第５合流部Ｒ１５を順次通過して、室外排気口３２から室外空間に排出されるように構成されている。
なお、回復用空気Ｒは、第２調湿素子Ｅ２の調湿部出口Ｗｏｕｔから調湿部入口Ｗｉｎに向かって第２調湿素子Ｅ２の調湿部Ｗを通流する。また、第１加湿用排気通路Ｌ１５ａにおいては、回復用加熱部２４が作用しない状態となっている。
そして、第１加湿用排気通路Ｌ１５ａには、上述したダンパＶ２４、ダンパＶ２５、及び排気ファンＦ１２が設けられている。
【０１６９】
次に、図１３に基づいて、第２加湿用給気通路Ｌ１４ｂ及び、第２加湿用排気通路Ｌ１５ｂについて説明する。図１３では、第２加湿用給気通路Ｌ１４ｂを２点鎖線で示し、第２加湿用排気通路Ｌ１５ｂを破線で示す。
【０１７０】
第２加湿用給気通路Ｌ１４ｂ（給気通路の一例）は、第２調湿素子Ｅ２が給気側素子Ｅａに切り換えられているときに、室外空間から取り込んだ室外空気ＯＡを、加熱部２１及び第２調湿素子Ｅ２の調湿部Ｗを通過させて室内空間へ供給する給気通路である。
【０１７１】
第２加湿用給気通路Ｌ１４ｂを通流する室外空気ＯＡとしての調湿用空気ＷＡは、上流側となる室外給気口３０から流入して、下流側に向かって、第１分岐部Ｐ１１、給気用加熱部２２、第２分岐部Ｐ１２、第５分岐部Ｐ１５、第２調湿素子Ｅ２の調湿部Ｗ、第３分岐部Ｒ１３、第２合流部Ｒ１２及び熱交換器ＥＸ１を順次通過して、室内給気口３３から流出して室内空間に供給されるように構成されている。
【０１７２】
第２加湿用給気通路Ｌ１４ｂには、上述した給気ファンＦ１１、給気用加熱部２２、ダンパＶ２６及びダンパＶ２７が設けられている。さらに、上述した第２温度検出部３４Ａ及び第２湿度検出部３４Ｂが設けられている。
【０１７３】
第２加湿用排気通路Ｌ１５ｂ（排気通路の一例）は、第１調湿素子Ｅ１が回復側素子Ｅｂに切り換えられているときに、室内空間から取り出した室内空気ＲＡを、熱交換器ＥＸ１を通過させた後、第１調湿素子Ｅ１の調湿部Ｗを通過させて室外空間へ排出する排気通路である。
【０１７４】
第２加湿用排気通路Ｌ１５ｂを通流する室内空気ＲＡとしての回復用空気Ｒは、上流側となる室内排気口３１から流入して、下流側に向かって、熱交換器ＥＸ１、回復用加熱部２４、第４分岐部Ｐ１４、第１合流部Ｒ１１、第１調湿素子Ｅ１の調湿部Ｗ、第３分岐部Ｐ１３、第６合流部Ｒ１６、第５合流部Ｒ１５を順次通過して、室外排気口３２から室外空間に排出されるように構成されている。そして、第２加湿用排気通路Ｌ１５ｂには、排気ファンＦ１２、ダンパＶ２９、ダンパＶ３０が設けられている。なお、第２加湿用排気通路Ｌ１５ｂにおいては、回復用加熱部２４が作用しない状態となっている。また、回復用空気Ｒは、第１調湿素子Ｅ１の調湿部出口Ｗｏｕｔから調湿部入口Ｗｉｎに向かって第１調湿素子Ｅ１の調湿部Ｗを通流する。
【０１７５】
次に、図１０及び図１１に基づいて、除湿運転における制御部ＳによるダンパＶ２１〜Ｖ３０の開閉状態の制御について説明する。なお、図１０及び図１１においては、閉状態となっているダンパに黒丸を付して示し、開状態となっているダンパに白抜きの丸を付して示している。そして、空気が通流している通路部分を太線で示し、空気が通流していない通路部分を細線で示す。
【０１７６】
図１０に示した第１除湿空調状態については、太線で示した空気が通流する通流状態となっている通路に設けられたダンパ、つまり、第１除湿用給気通路Ｌ１１ａに設けられたダンパＶ２１、Ｖ２２、第１除湿用排気通路Ｌ１２ａに設けられたダンパＶ２３、第１室外空気循環通路Ｌ１３ａに設けられたダンパＶ２４、Ｖ２５が開状態に制御され、細線で示した空気が通流していない非通流状態となっている通路に設けられたダンパＶ２６〜Ｖ３０が閉状態に制御されている。
【０１７７】
また、図１１に示した第２除湿空調状態については、太線で示した空気が通流する通流状態となっている通路に設けられたダンパ、つまり、第２除湿用給気通路Ｌ１１ｂに設けられたダンパＶ２６、Ｖ２７、第２除湿用排気通路Ｌ１２ｂに設けられたダンパＶ２９、Ｖ３０、第２室外空気循環通路Ｌ１３ｂに設けられたダンパＶ２８が開状態に制御され、細線で示した空気が通流していない非通流状態となっている通路に設けられたダンパＶ２１〜Ｖ２５が閉状態に制御されている。
【０１７８】
このように、ダンパＶ２１〜Ｖ３０の開閉状態が制御されることにより、空調システム２００では、図１０に示すように、第１調湿素子Ｅ１を給気側素子Ｅａとして、給気側素子Ｅａの調湿部Ｗに室外空気ＯＡである調湿用空気ＷＡを通過させて調湿用空気ＷＡに含まれる水分を調湿部Ｗに吸着させ、給気側素子Ｅａの冷却部Ｃに室外空気ＯＡである冷却用空気ＣＡを通過させて調湿部Ｗにて発生する吸着熱を吸収させ、第２調湿素子Ｅ２を回復側素子Ｅｂとして、回復側素子Ｅｂの調湿部Ｗに回復用加熱部２４により加熱した室内空気ＲＡである回復用空気Ｒを通過させて調湿部Ｗから回復用空気Ｒに水分を脱着させる第１除湿空調状態と、図１１に示すように、第２調湿素子Ｅ２を給気側素子Ｅａとして、給気側素子Ｅａの調湿部Ｗに室外空気ＯＡである調湿用空気ＷＡを通過させて調湿用空気ＷＡに含まれる水分を調湿部Ｗに吸着させ、給気側素子Ｅａの冷却部Ｃに室外空気ＯＡである冷却用空気ＣＡを通過させて調湿部Ｗにて発生する吸着熱を吸収させ、第１調湿素子Ｅ１を回復側素子Ｅｂとして、回復側素子Ｅｂの調湿部Ｗに回復用加熱部２４により加熱した室内空気ＲＡである回復用空気Ｒを通過させて調湿部Ｗから回復用空気Ｒに水分を脱着させる第２除湿空調状態とに切り換えられるように構成されている。
【０１７９】
そして、第１除湿空調状態から第２除湿空調状態に切換える切換処理については、第１実施形態と同様に、第１温度検出部３５Ａ及び第１湿度検出部３５Ｂの少なくとも一方の検出結果に基づいて切換機構Ｖにより切換処理を実施するように構成されている。また、第２除湿空調状態から第１除湿空調状態に切換える切換処理についても、第１実施形態と同様に、第２温度検出部３４Ａ及び第２湿度検出部３４Ｂの少なくとも一方の検出結果に基づいて切換機構Ｖにより切換処理を実施するように構成されている。
【０１８０】
また、図１２及び図１３に基づいて、加湿運転における制御部Ｓによる切換機構ＶとしてのダンパＶ２１〜Ｖ３０の開閉状態の制御について説明する。なお、図１２及び図１３においては、閉状態となっているダンパに黒丸を付して示し、開状態となっているダンパに白抜きの丸を付して示している。そして、空気が通流している通路部分を太線で示し、空気が通流していない通路部分を細線で示す。
【０１８１】
図１２に示した第１加湿空調状態では、太線で示した空気が通流する通流状態となっている通路に設けられたダンパ、つまり、第１加湿用給気通路Ｌ１４ａに設けられたダンパＶ２１、ダンパＶ２２、第１加湿用排気通路Ｌ１５ａに設けられたダンパＶ２４、Ｖ２５が開状態に制御され、その他の細線で示した空気が通流していない非通流状態となっている通路に設けられたダンパＶ２３、ダンパＶ２６〜Ｖ３０が閉状態に制御されている。
【０１８２】
また、図１３に示した第２加湿空調状態では、太線で示した空気が通流する通流状態となっている通路に設けられたダンパ、つまり、第２加湿用給気通路Ｌ１４ｂに設けられたダンパＶ２６、Ｖ２７、第２加湿用排気通路Ｌ１５ｂに設けられたダンパＶ２９、Ｖ３０が開状態に制御され、その他の細線で示した空気が通流していない非通流状態となっている通路に設けられたダンパＶ２１〜Ｖ２５、ダンパＶ２８が閉状態に制御されている。
【０１８３】
このように、ダンパＶ２１〜Ｖ３０の開閉状態が制御されることにより、空調システム２００では、図１２に示すように、第１調湿素子Ｅ１を給気側素子Ｅａとして、給気側素子Ｅａの調湿部Ｗに給気用加熱部２２により加熱された調湿用空気ＷＡを通過させて調湿部Ｗに含まれる水分を調湿用空気ＷＡに脱着させ、第２調湿素子Ｅ２を回復側素子Ｅｂとして、回復側素子Ｅｂの調湿部Ｗに室内空気ＲＡである回復用空気Ｒを通過させて調湿部Ｗに水分を吸着させる第１加湿空調状態と、図１３に示すように、第２調湿素子Ｅ２を給気側素子Ｅａとして、給気側素子Ｅａの調湿部Ｗに給気用加熱部２２により加熱された調湿用空気ＷＡを通過させて調湿部Ｗに含まれる水分を調湿用空気ＷＡに脱着させ、第１調湿素子Ｅ１を回復側素子Ｅｂとして、回復側素子Ｅｂの調湿部Ｗに室内空気ＲＡである回復用空気Ｒを通過させて調湿部Ｗに水分を吸着させる第２加湿空調状態とに切り換えられる。
【０１８４】
そして、第１加湿空調状態から第２加湿空調状態に切換える切換処理については、第１実施形態と同様に、第１温度検出部３５Ａ及び第１湿度検出部３５Ｂの少なくとも一方の検出結果に基づいて切換機構Ｖにより切換処理を実施するように構成されている。また、第２加湿空調状態から第１加湿空調状態に切換える切換処理についても、第１実施形態と同様に、第２温度検出部３４Ａ及び第２湿度検出部３４Ｂの少なくとも一方の検出結果に基づいて切換機構Ｖにより切換処理を実施するように構成されている。
【０１８５】
〔別実施形態〕
（１）上記実施形態では、第１温度検出部３５Ａと第１湿度検出部３５Ｂとを備え、第１除湿空調状態から第２除湿空調状態への切換処理を、第１湿度検出部３５Ｂによって検出された調湿用空気ＷＡの湿度が、除湿用設定湿度Ｈａ以上となる場合、又は、第１温度検出部３５Ａによって検出された調湿用空気ＷＡの温度が、除湿用設定温度ＴＥａ以上となる場合に実施するように構成されたが、これに限らず、第１湿度検出部３５Ｂのみを備え、第１除湿空調状態と第２除湿空調状態との切換処理を、第１湿度検出部３５Ｂにおいて検出された湿度が、所定の除湿用設定湿度Ｈａ以上となる場合に実施するように構成してもよい。その他、第１温度検出部３５Ａのみを備え、第１除湿空調状態と第２除湿空調状態との切換処理を、第１温度検出部３５Ａにおいて検出された温度が、所定の除湿用設定温度ＴＥａ以上となる場合に実施するように構成してもよい。
【０１８６】
（２）上記実施形態では、第１温度検出部３５Ａと第１湿度検出部３５Ｂとを備え、第１加湿空調状態から第２加湿空調状態への切換処理を、第１湿度検出部３５Ｂによって検出された調湿用空気ＷＡの湿度が、加湿用設定湿度Ｈｂ以下となる場合、又は、第１温度検出部３５Ａによって検出された調湿用空気ＷＡの温度が、加湿用設定温度ＴＥｂ以上となる場合に実施するように構成されたが、これに限らず、第１湿度検出部３５Ｂのみを備え、第１加湿空調状態と第２加湿空調状態との切換処理を、第１湿度検出部３５Ｂにおいて検出された湿度が、所定の加湿用設定湿度Ｈｂ以下となる場合に実施するように構成してもよい。その他、第１温度検出部３５Ａのみを備え、第１加湿空調状態と第２加湿空調状態との切換処理を、第１温度検出部３５Ａにおいて検出された温度が、所定の加湿用設定温度ＴＥｂ以上となる場合に実施するように構成してもよい。
【０１８７】
（３）上記実施形態においては、除湿運転において、除湿を良好に行うために、給気側素子Ｅａの調湿部Ｗが吸着した水分量が調湿部Ｗの飽和吸着水分量の半分程度となったときに切換処理が実施されるように、除湿用設定湿度Ｈａ及び除湿用設定温度ＴＥａが設定されたが、これに限らず、給気側素子Ｅａの調湿部Ｗが、調湿用空気ＷＡの水分を多く吸着した結果、新たに水分が吸着することが困難な状態となったときに切換処理が行われるように除湿用設定湿度Ｈａ及び除湿用設定温度ＴＥａを設定してもよい。
【０１８８】
（４）上記実施形態においては、加湿運転において、加湿を良好に行うために、給気側素子Ｅａの調湿部Ｗに残留する水分量が調湿部Ｗの飽和吸着水分量の半分程度となったときに切換処理が行われるように加湿用設定湿度Ｈｂ及び加湿用設定温度ＴＥｂが設定されたが、これに限らず、給気側素子Ｅａの調湿部Ｗから水分を調湿用空気ＷＡ中に脱着した結果、新たに調湿部Ｗから水分が脱着することが困難な状態となったときに切換処理が行われるように加湿用設定湿度Ｈｂ及び加湿用設定温度ＴＥｂを設定してもよい。
【０１８９】
（５）上記実施形態では、除湿運転時において、給気側素子Ｅａにおいて、冷却部Ｃにおける冷却用空気ＣＡの流れ方向と調湿部Ｗにおける調湿用空気ＷＡの流れ方向とが対向流となるように構成したが、これに限らず、給気側素子Ｅａにおいて、冷却部Ｃにおける冷却用空気ＣＡの流れ方向と調湿部Ｗにおける調湿用空気ＷＡの流れ方向とが直交流となるように構成してもよい。
【０１９０】
（６）上記実施形態では、第１湿度検出部３５Ｂにより絶対湿度が検出されたが、これに限らず、第１湿度検出部３５Ｂにて検出される湿度を相対湿度として、第１湿度検出部３５Ｂにて検出された相対湿度と、第１温度検出部３５Ａにて検出された温度により絶対湿度を求めてもよい。
【０１９１】
（７）上記実施形態では、調湿素子Ｅにおいて、６枚の平板部材１を積層することによって、冷却部Ｃと調湿部Ｗとが形成されたが、これに限らず、調湿素子Ｅにおいて、５枚以下の平板部材１を積層することで、冷却部Ｃと調湿部Ｗとを形成してもよいし、７枚以上の平板部材１を積層することで、冷却部Ｃと調湿部Ｗとを形成してもよい。
【０１９２】
（８）上記第１実施形態では、除湿用給気通路、加湿用給気通路、除湿用排気通路、加湿用排気通路、及び、室外空気循環通路において、図１〜図４に示した所定の位置に切換機構ＶとしてのダンパＶ１〜Ｖ１２、給気ファンＦ１、排気ファンＦ２が設けられたが、ダンパ及びファンの設置数や設置位置は適宜変更できる。
【０１９３】
（９）上記第２実施形態では、除湿用給気通路、加湿用給気通路、除湿用排気通路、加湿用排気通路、及び、室外空気循環通路において、図１０〜図１３に示した所定の位置に切換機構ＶとしてのダンパＶ２１〜Ｖ３０、給気ファンＦ１１、排気ファンＦ１２が設けられたが、ダンパ及びファンの設置数や設置位置は適宜変更できる。
【０１９４】
（１０）上記実施形態では、一対の調湿素子Ｅを給気側素子Ｅａと回復側素子Ｅｂとに切り換える切換機構Ｖがダンパによって構成されたが、切換機構Ｖはこれに限るものではない。例えば、給気通路、排気通路及び室外空気循環通路と一対の調湿素子Ｅとを接続自在に構成して、夫々の調湿素子Ｅの設置位置を互いに入れ換えるように、一対の調湿素子Ｅを移動する素子移動装置により切換機構Ｖを構成してもよい。
【０１９５】
（１１）上記実施形態では、回復側素子Ｅｂの調湿部Ｗを通過する回復用空気Ｒの目標流量を、予め定められた所定の単位時間あたりの流量としたが、これに限らず、回復側素子Ｅｂの調湿部Ｗを通過する回復用空気Ｒの目標流量を、調湿部Ｗにおける調湿用空気ＷＡに対する除湿負荷に応じて調整するように構成してもよい。この場合、調湿用空気ＷＡに対する除湿負荷として、例えば、調湿用空気ＷＡの調湿部Ｗで実際に吸着された水分量を除湿負荷として利用すること、又は、調湿用空気ＷＡの調湿部Ｗへの吸着が予測される水分量を除湿負荷として利用できる。
【０１９６】
（１２）上記第１実施形態では、空調システム１００が、給気用加熱部及び回復用加熱部として機能する加熱部２１を備え、給気側素子Ｅａの調湿部Ｗに調湿用空気ＷＡを通過させて調湿用空気ＷＡに含まれる水分を吸着させ、回復側素子Ｅｂの調湿部Ｗに回復用加熱部として機能する加熱部２１により加熱した回復用空気Ｒを通過させて回復用空気Ｒに水分を脱着させる除湿運転と、給気側素子Ｅａの調湿部Ｗに給気用加熱部として機能する加熱部２１により加熱した調湿用空気ＷＡを通過させて調湿用空気ＷＡに水分を脱着させ、回復側素子Ｅｂの調湿部Ｗに回復用空気Ｒを通過させて水分を吸着させる加湿運転との何れか一方の運転が行われるように構成されたが、これに限らず、加熱部２１を回復用加熱部としてのみ機能するように構成し、空調システム１００が除湿運転のみを行うように構成されてもよい。
【０１９７】
（１３）上記第２実施形態では、空調システム２００が、給気用加熱部２２及び回復用加熱部２４を備え、給気側素子Ｅａの調湿部Ｗに調湿用空気ＷＡを通過させて調湿用空気ＷＡに含まれる水分を吸着させ、回復側素子Ｅｂの調湿部Ｗに回復用加熱部２４により加熱した回復用空気Ｒを通過させて回復用空気Ｒに水分を脱着させる除湿運転と、給気側素子Ｅａの調湿部Ｗに給気用加熱部２２により加熱した調湿用空気ＷＡを通過させて調湿用空気ＷＡに水分を脱着させ、回復側素子Ｅｂの調湿部Ｗに回復用空気Ｒを通過させて水分を吸着させる加湿運転との何れか一方の運転が行われるように構成したが、これに限らず、給気用加熱部２２を省略して、空調システム２００が除湿運転のみを行うように構成されてもよい。
【０１９８】
（１４）上記第１実施形態では、除湿運転において、給気側素子Ｅａの冷却部Ｃを通過する冷却用空気ＣＡとして室内空間から取り出した室内空気ＲＡを使用したが、これに限らず、給気側素子Ｅａの冷却部Ｃを通過する冷却用空気ＣＡとして、室内空間から取り出した室内空気ＲＡと室外空間から取り込んだ室外空気ＯＡとを混合した混合空気を使用してもよい。
【０１９９】
（１５）上記第２実施形態では、除湿運転において、給気側素子Ｅａの冷却部Ｃを通過する冷却用空気ＣＡとして室外空間から取り込んだ室外空気ＯＡを使用したが、これに限らず、給気側素子Ｅａの冷却部Ｃを通過する冷却用空気ＣＡとして、室外空間から取り込んだ室外空気ＯＡと室内空間から取り出した室内空気ＲＡとを混合した混合空気を使用してもよい。
【０２００】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【０２０１】
以上説明したように、室内に供給する室外空気の除湿を適切に行いつつ、切換処理を適切なタイミングで実施できる空調システムを提供することができる。
【符号の説明】
【０２０２】
１      平板部材
２１    加熱部（給気用加熱部）
２１    加熱部（回復用加熱部）
２２    給気用加熱部
２４    回復用加熱部
３４Ａ  温度検出部（第２温度検出部）
３４Ｂ  湿度検出部（第２湿度検出部）
３５Ａ  温度検出部（第１温度検出部）
３５Ｂ  湿度検出部（第１湿度検出部）
１００  空調システム
２００  空調システム
Ｃ      冷却部
ＣＡ    冷却用空気
Ｅ      調湿素子
Ｅａ    給気側素子
Ｅｂ    回復側素子
Ｈａ    除湿用設定湿度
Ｈｂ    加湿用設定温度
Ｌ１ａ  第１除湿用給気通路（給気通路）
Ｌ１ｂ  第２除湿用給気通路（給気通路）
Ｌ４ａ  第１加湿用給気通路（給気通路）
Ｌ４ｂ  第２加湿用給気通路（給気通路）
Ｌ２ａ  第１除湿用排気通路（排気通路）
Ｌ２ｂ  第２除湿用排気通路（排気通路）
Ｌ５ａ  第１加湿用排気通路（排気通路）
Ｌ５ｂ  第２加湿用排気通路（排気通路）
ＯＡ    室外空気
Ｒ      回復用空気
ＲＡ    室内空気
Ｓ      制御部
ＴＥａ  除湿用設定温度
ＴＥｂ  加湿用設定温度
Ｖ      切換機構
Ｗ      調湿部
ＷＡ    調湿用空気
【図１】
0006566829.tif 000002
【図２】
0006566829.tif 000003
【図３】
0006566829.tif 000004
【図４】
0006566829.tif 000005
【図５】
0006566829.tif 000006
【図６】
0006566829.tif 000007
【図７】
0006566829.tif 000008
【図８】
0006566829.tif 000009
【図９】
0006566829.tif 000010
【図１０】
0006566829.tif 000011
【図１１】
0006566829.tif 000012
【図１２】
0006566829.tif 000013
【図１３】
0006566829.tif 000014